(57)【要約】  ズームレンズは、物体側から順に、負の屈折力を有する第１レンズ群Ｇ１と、正の屈折力を有する第２レンズ群Ｇ２と、負の屈折力を有する第３レンズ群Ｇ３と、からなり、変倍時、第１レンズ群Ｇ１は像側への移動を少なくとも含み、第２レンズ群Ｇ２は開口絞りＳと一体に移動し、第３レンズ群Ｇ３は物体側へ移動し、第１レンズ群Ｇ１の像側への移動は、変倍が広角端から始まったときの移動であり、第３レンズ群Ｇ３の物体側への移動は、広角端から望遠端への変倍時の移動であり、第１レンズ群Ｇ１は少なくとも負レンズと正レンズとを含むと共に、負レンズが最も物体側に配置され、以下の条件式を満足する。  ０．７５＜（β2t／β2w）／（β3t／β3w）＜１．３８  −０．７０＜β2w＜−０．３２  ０．９６＜ｆ2／ｆw＜１．８０
2015016004.tif 000002
【特許請求の範囲】
【請求項１】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
以下の条件式を満足することを特徴とするズームレンズ。
０．７５＜（β2t／β2w）／（β3t／β3w）＜１．３８
−０．７０＜β2w＜−０．３２
０．９６＜ｆ2／ｆw＜１．８０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項２】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第３レンズ群は、２枚以上のレンズを有し、
以下の条件式を満足することを特徴とするズームレンズ。
０．７５＜（β2t／β2w）／（β3t／β3w）＜２．００
０．９６＜ｆ2／ｆw＜１．７０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項３】
物体側から順に、
負の屈折力を有する第１レンズ群と、
正の屈折力を有する第２レンズ群と、
負の屈折力を有する第３レンズ群と、からなり、
変倍時、前記第１レンズ群は移動し、前記第２レンズ群は開口絞りと一体に移動し、前記第３レンズ群は物体側へ移動し、
前記第３レンズ群における前記物体側への移動は、広角端から望遠端への変倍時の移動であり、
前記第３レンズ群は、１枚の負レンズからなり、
以下の条件式を満足することを特徴とするズームレンズ。
０．７５＜（β2t／β2w）／（β3t／β3w）＜１．３８
０．９４＜ｆ2／ｆw＜１．７０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項４】
以下の条件式を満足することを特徴とする請求項２又は３に記載のズームレンズ。
−０．７０＜β2w＜−０．３２
ここで、
β2wは、広角端における無限遠物点合焦時の前記第２レンズ群の横倍率、
である。
【請求項５】
以下の条件式を満足することを特徴とする請求項１から４のいずれか１項に記載のズームレンズ。
１．０５＜β3w＜１．３５
ここで、
β3wは、広角端における無限遠物点合焦時の前記第３レンズ群の横倍率、
である。
【請求項６】
以下の条件式を満足することを特徴とする請求項１から５のいずれか１項に記載のズームレンズ。
１．７０＜β3t＜３．００
ここで、
β3tは、望遠端における無限遠物点合焦時の前記第３レンズ群の横倍率、
である。
【請求項７】
以下の条件式を満足することを特徴とする請求項１から６のいずれか１項に記載のズームレンズ。
−２．５０＜ｆ1／ｆw＜−１．４９
ここで、
ｆ1は、前記第１レンズ群の焦点距離、
ｆwは、広角端における前記ズームレンズ全系の焦点距離、
である。
【請求項８】
以下の条件式を満足することを特徴とする請求項１から７のいずれか１項に記載のズームレンズ。
−２．５０＜ｆ3／ｆw＜−１．５０
ここで、
ｆ3は、前記第３レンズ群の焦点距離、
ｆwは、広角端における前記ズームレンズ全系の焦点距離、
である。
【請求項９】
以下の条件式を満足することを特徴とする請求項１から８のいずれか１項に記載のズームレンズ。
０．４６＜（β2t／β2w）／（ｆt／ｆw）＜０．８０
ここで、
β2tは、望遠端における前記第２レンズ群の横倍率、
β2wは、広角端における前記第２レンズ群の横倍率であって、
いずれも、無限遠物点合焦時の横倍率、
ｆtは、望遠端における前記ズームレンズ全系の焦点距離、
ｆwは、広角端における前記ズームレンズ全系の焦点距離、
である。
【請求項１０】
以下の条件式を満足することを特徴とする請求項１から９のいずれか１項に記載のズームレンズ。
１．００＜Ｄaiw／（ｔａｎωt×ｆt）＜２．９０
ここで、
Ｄaiwは、広角端における前記開口絞りと像面との間隔、
ωtは、望遠端における半画角、
ｆtは、望遠端における前記ズームレンズ全系の焦点距離、
である。
【請求項１１】
以下の条件式を満足することを特徴とする請求項１から１０のいずれか１項に記載のズームレンズ。
１．００＜ＥＸＰw／（ｔａｎωt×ｆt）＜４．５０
ここで、
ＥＸＰwは、広角端における像面と射出瞳との間隔、
ωtは、望遠端における半画角、
ｆtは、望遠端における前記ズームレンズ全系の焦点距離、
である。
【請求項１２】
合焦時、前記第３レンズ群のみが移動することを特徴とする請求項１から１１のいずれか１項に記載のズームレンズ。
【請求項１３】
請求項１から１２のいずれか１項に記載のズームレンズと、筐体と接続するための接続部と、を備え、前記筐体に、前記ズームレンズにより形成される光学像を電気信号に変換する撮像素子が配置されていることを特徴とするレンズ鏡筒。
【請求項１４】
請求項１から１２のいずれか１項に記載のズームレンズと、前記ズームレンズにより形成される光学像を電気信号に変換する撮像素子と、を備えたことを特徴とする撮像装置。
【請求項１５】
画像変換部を有し、
前記画像変換部は、前記ズームレンズによる歪曲収差を含んだ前記電気信号を画像処理により前記歪曲収差を補正した画像信号に変換することを特徴とする請求項１４に記載の撮像装置。
【発明の詳細な説明】
【技術分野】
【０００１】
本発明は、ズームレンズ及びそれを備えたレンズ鏡筒、撮像装置に関するものである。
【背景技術】
【０００２】
撮像装置に用いられるズームレンズには、小型であることや諸収差が良好に補正されていることが望まれている。このような要望を実現するズームレンズとして、負先行型のズームレンズが知られている。負先行型のズームレンズでは、負の屈折力を有するレンズ群が最も物体側に配置されている。【０００３】
負先行型で３つのレンズ群からなるズームレンズとして、特許文献１、２に開示されたズームレンズがある。特許文献１、２のズームレンズは、物体側から順に、負の屈折力を有する第１レンズ群と、正の屈折力を有する第２レンズ群と、負の屈折力を有する第３レンズ群と、からなる。
【先行技術文献】
【特許文献】
【０００４】
【特許文献１】特開平２−２３８４１８号公報
【特許文献２】特許第４８４０９０９号公報
【発明の概要】
【発明が解決しようとする課題】
【０００５】
特許文献１のズームレンズでは、主に第３レンズ群で大きな変倍比を得ている。この場合、望遠端での第３レンズ群の横倍率が大きくなる。そうすると、第３レンズ群から像面（結像位置）までの距離が長くなってしまう。そのため、ズームレンズの全長が短縮できない。その結果、特許文献１のズームレンズでは、光学系の小型化が十分にできていない。【０００６】
特許文献２のズームレンズでは、主に第２レンズ群で大きな変倍比を得ている。この場合も、ズームレンズの全長が短縮できない。そのため、特許文献２のズームレンズでは、光学系の小型化が十分にできていない。【０００７】
本発明は、上記に鑑みてなされたものであって、諸収差が良好に補正され、なお且つ、全長が短く、小型なズームレンズ及びそれを備えたレンズ鏡筒、撮像装置を提供することを目的としている。
【課題を解決するための手段】
【０００８】
上述した課題を解決し、目的を達成するために、本発明のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
以下の条件式を満足することを特徴とする。
０．７５＜（β2t／β2w）／（β3t／β3w）＜１．３８
−０．７０＜β2w＜−０．３２
０．９６＜ｆ2／ｆw＜１．８０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。【０００９】
また、本発明の別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
第３レンズ群は、２枚以上のレンズを有し、
以下の条件式を満足することを特徴とする。
０．７５＜（β2t／β2w）／（β3t／β3w）＜２．００
０．９６＜ｆ2／ｆw＜１．７０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。【００１０】
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は移動し、第２レンズ群は開口絞りと一体に移動し、第３レンズ群は物体側へ移動し、
第３レンズ群における物体側への移動は、広角端から望遠端への変倍時の移動であり、
第３レンズ群は、１枚の負レンズからなり、
以下の条件式を満足することを特徴とする。
０．７５＜（β2t／β2w）／（β3t／β3w）＜１．３８
０．９４＜ｆ2／ｆw＜１．７０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。【００１１】
また、本発明のレンズ鏡筒は、
上記のズームレンズと、筐体と接続するための接続部と、を備え、筐体に、ズームレンズにより形成される光学像を電気信号に変換する撮像素子が配置されていることを特徴とする。【００１２】
また、本発明の撮像装置は、
上記のズームレンズと、ズームレンズにより形成される光学像を電気信号に変換する撮像素子と、を備えたことを特徴とする。
【発明の効果】
【００１３】
本発明によれば、諸収差が良好に補正され、なお且つ、全長が短く、小型なズームレンズ及びそれを備えたレンズ鏡筒、撮像装置を提供できる。
【図面の簡単な説明】
【００１４】
【図１】実施例１にかかるズームレンズの無限遠物点合焦時の光学構成を示す光軸に沿う断面図であり、（ａ）は広角端、（ｂ）は中間、（ｃ）は望遠端での断面図である。
【図２】実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３】実施例２にかかるズームレンズの無限遠物点合焦時の光学構成を示す光軸に沿う断面図であり、（ａ）は広角端、（ｂ）は中間、（ｃ）は望遠端での断面図である。
【図４】実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図５】実施例３にかかるズームレンズの無限遠物点合焦時の光学構成を示す光軸に沿う断面図であり、（ａ）は広角端、（ｂ）は中間、（ｃ）は望遠端での断面図である。
【図６】実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図７】実施例４にかかるズームレンズの無限遠物点合焦時の光学構成を示す光軸に沿う断面図であり、（ａ）は広角端、（ｂ）は中間、（ｃ）は望遠端での断面図である。
【図８】実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図９】実施例５にかかるズームレンズの無限遠物点合焦時の光学構成を示す光軸に沿う断面図であり、（ａ）は広角端、（ｂ）は中間、（ｃ）は望遠端での断面図である。
【図１０】実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１１】実施例６にかかるズームレンズの無限遠物点合焦時の光学構成を示す光軸に沿う断面図であり、（ａ）は広角端、（ｂ）は中間、（ｃ）は望遠端での断面図である。
【図１２】実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１３】実施例７にかかるズームレンズの無限遠物点合焦時の光学構成を示す光軸に沿う断面図であり、（ａ）は広角端、（ｂ）は中間、（ｃ）は望遠端での断面図である。
【図１４】実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１５】実施例８にかかるズームレンズの無限遠物点合焦時の光学構成を示す光軸に沿う断面図であり、（ａ）は広角端、（ｂ）は中間、（ｃ）は望遠端での断面図である。
【図１６】実施例８にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１７】実施例９にかかるズームレンズの無限遠物点合焦時の光学構成を示す光軸に沿う断面図であり、（ａ）は広角端、（ｂ）は中間、（ｃ）は望遠端での断面図である。
【図１８】実施例９にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１９】実施例１０にかかるズームレンズの無限遠物点合焦時の光学構成を示す光軸に沿う断面図であり、（ａ）は広角端、（ｂ）は中間、（ｃ）は望遠端での断面図である。
【図２０】実施例１０かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２１】実施例１１にかかるズームレンズの無限遠物点合焦時の光学構成を示す光軸に沿う断面図であり、（ａ）は広角端、（ｂ）は中間、（ｃ）は望遠端での断面図である。
【図２２】実施例１１かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２３】実施例１２にかかるズームレンズの無限遠物点合焦時の光学構成を示す光軸に沿う断面図であり、（ａ）は広角端、（ｂ）は中間、（ｃ）は望遠端での断面図である。
【図２４】実施例１２かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２５】実施例１３にかかるズームレンズの無限遠物点合焦時の光学構成を示す光軸に沿う断面図であり、（ａ）は広角端、（ｂ）は中間、（ｃ）は望遠端での断面図である。
【図２６】実施例１３かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２７】実施例１４にかかるズームレンズの無限遠物点合焦時の光学構成を示す光軸に沿う断面図であり、（ａ）は広角端、（ｂ）は中間、（ｃ）は望遠端での断面図である。
【図２８】実施例１４かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２９】実施例１５にかかるズームレンズの無限遠物点合焦時の光学構成を示す光軸に沿う断面図であり、（ａ）は広角端、（ｂ）は中間、（ｃ）は望遠端での断面図である。
【図３０】実施例１５かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３１】実施例１６にかかるズームレンズの無限遠物点合焦時の光学構成を示す光軸に沿う断面図であり、（ａ）は広角端、（ｂ）は中間、（ｃ）は望遠端での断面図である。
【図３２】実施例１６かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３３】実施例１７にかかるズームレンズの無限遠物点合焦時の光学構成を示す光軸に沿う断面図であり、（ａ）は広角端、（ｂ）は中間、（ｃ）は望遠端での断面図である。
【図３４】実施例１７かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３５】実施例１８にかかるズームレンズの無限遠物点合焦時の光学構成を示す光軸に沿う断面図であり、（ａ）は広角端、（ｂ）は中間、（ｃ）は望遠端での断面図である。
【図３６】実施例１８かかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３７】本実施例のズームレンズを組み込んだ撮像装置の断面図である。
【図３８】撮像装置の外観を示す前方斜視図である。
【図３９】撮像装置の外観を示す後方斜視図である。
【図４０】撮像装置の内部構成を示す図である。
【発明を実施するための形態】
【００１５】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１６】
本実施形態のズームレンズは、物体側から順に、負の屈折力を有する第１レンズ群と、正の屈折力を有する第２レンズ群と、負の屈折力を有する第３レンズ群と、からなり、変倍時、第１レンズ群は移動し、第２レンズ群は開口絞りと一体に移動し、第３レンズ群は物体側へ移動し、第３レンズ群における物体側への移動は、広角端から望遠端への変倍時の移動であることを基本構成として備えている。
【００１７】
ズームレンズを小型にするためには、ズームレンズの全長を短縮する必要がある。ズームレンズの全長を短縮しようとすると、各レンズ群の屈折力は大きくなる。３つのレンズ群で構成されているズームレンズにおいて、各レンズ群の屈折力を大きくすると、第１レンズ群では、倍率色収差、非点収差及び歪曲収差が発生する。これらの収差を第２レンズ群で補正しようとすると、第２レンズ群自身で発生する球面収差や軸上色収差の補正が困難になる。
【００１８】
そこで、基本構成では、負の屈折力を有する第３レンズ群を最も像側に配置している。第３レンズ群を最も像側に配置することで、第２レンズ群を挟んで、物体側と像側で屈折力が共に負になる。このように、基本構成では、屈折力の配置を対称にできるので、諸収差が良好に補正できる。
【００１９】
具体的には、第１レンズ群で発生した倍率色収差、非点収差及び歪曲収差の補正を第３レンズ群で行えるので、これらの軸外収差を良好に補正できる。更に、第３レンズ群が存在することで、第２レンズ群における収差補正の負担、特に、倍率色収差、非点収差及び歪曲収差などの軸外収差に対する補正の負担を軽減できる。そのため、第２レンズ群では、球面収差や軸上色収差を主に補正できるようになる。その結果、倍率色収差、非点収差、歪曲収差、球面収差及び軸上色収差を良好に補正しつつ、ズームレンズの全長を短縮できる。
【００２０】
また、変倍時、倍率色収差、歪曲収差及び非点収差の発生量が変化する。そこで、各レンズ群を移動させることで、これらの収差を良好に補正できると共に、ズームレンズの全長を短縮できる。
【００２１】
ここで、変倍時、第２レンズ群は開口絞りと一体に移動する。このようにすることで、第２レンズ群を通過する光線の高さを常に低くできる。そのため、第２レンズ群における諸収差の発生を抑制できる。
【００２２】
また、変倍時、第３レンズ群を物体側へ移動させることで、第３レンズ群にも変倍作用を持たせることができる。これにより、第２レンズ群における変倍の負担を軽減できる。すなわち、第２レンズ群の移動量を減少させることができる。その結果、ズームレンズの全長を短縮できる。なお、第３レンズ群における物体側への移動は、広角端から望遠端への変倍時の移動であることが好ましい。
【００２３】
また、第３レンズ群における物体側への移動は、変倍が広角端から始まったときの移動であることが好ましい。すなわち、広角端を起点とした変倍では、変倍が始まると、第３レンズ群は広角端の位置から物体側に向かって移動し始める。このようにすると、望遠端では、第３レンズ群を通過する軸上光線の高さが広角端よりも高くなる。そのため、望遠端において球面収差や軸上収差を良好に補正しておけば、軸上光線の高さが低い広角端においても、球面収差や軸上収差は良好に補正される。上述のように第３レンズ群を移動させることで、広角端における球面収差や軸上色収差を悪化させることなく、望遠端における球面収差や軸上色収差を良好に補正できる。
【００２４】
そして、本実施形態のズームレンズは、上述の基本構成を備えると共に、以下で説明する構成を備え、所定の条件式を満足することが望ましい。
【００２５】
第１実施形態のズームレンズは、上述の基本構成を備えると共に、第１実施形態のズームレンズでは、変倍時、第１レンズ群は像側への移動を少なくとも含み、第１レンズ群における像側への移動は、変倍が広角端から始まったときの移動であり、第１レンズ群は少なくとも負レンズと正レンズとを含むと共に、負レンズが最も物体側に配置され、以下の条件式（１）、（２）、（３）を満足することを特徴とする。
０．７５＜（β2t／β2w）／（β3t／β3w）＜１．３８      （１）
−０．７０＜β2w＜−０．３２      （２）
０．９６＜ｆ2／ｆw＜１．８０      （３）
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
【００２６】
第１実施形態のズームレンズでは、第１レンズ群は少なくとも負レンズと正レンズとを含むと共に、負レンズが最も物体側に配置されている。
【００２７】
負レンズと正レンズとを少なくとも含むように第１レンズ群を構成すると、この負レンズと正レンズとで、第１レンズ群における非点収差や倍率色収差の発生を抑制できる。また、第１レンズ群の最も物体側に負レンズを配置することで、入射瞳をより物体側へ位置させることができる。これにより、第１レンズ群を通過する光線の高さが低くなるので、第１レンズ群を構成しているレンズの径を小さくできる。その結果、光学系を小型化できる。
【００２８】
また、第１実施形態のズームレンズでは、変倍時、第１レンズ群は像側への移動を少なくとも含み、第１レンズ群における像側への移動は、変倍が広角端から始まったときの移動である。
【００２９】
変倍時、第１レンズ群は像側への移動を少なくとも含む。この移動は、変倍が広角端から始まったときの移動である。よって、広角端を起点とした変倍では、変倍が始まると、第１レンズ群は広角端の位置から像側に向かって移動し始める。このように、変倍が広角端から始まったときに、第１レンズ群が広角端の位置から像側に向かって移動すると、第１レンズ群の像点（第１レンズ群で形成された物体の像）を第２レンズ群に近づけることができる。そのため、第２レンズ群の移動量の増大を抑制しながらも、第２レンズ群に変倍作用を持たせることができる。また、第２レンズ群の移動量の増大を抑制できるので、第２レンズ群における球面収差や軸上色収差の変動を抑制できる。なお、像側に移動した後の第１レンズ群の移動としては、像側への移動と物体側への移動がある。
【００３０】
そして、第１実施形態のズームレンズでは、条件式（１）、（２）、（３）を満足している。条件式（１）、（２）、（３）を満足することで、諸収差を良好に補正できると共に、ズームレンズの全長を短縮できる。
【００３１】
条件式（１）は、第２レンズ群の変倍比と第３レンズ群の変倍比との比に関するものである。
【００３２】
条件式（１）の下限値を下回らないようにすることで、第２レンズ群の変倍比をある程度大きくできる。そして、適切な大きさの変倍比を第２レンズ群が持つことで、第３レンズ群の変倍比の増大を抑制できる。これにより、望遠端における第３レンズ群の横倍率の増大を抑制できる。そのため、望遠端における第３レンズ群と像面（像位置）との間隔の増大を抑制できる。その結果、望遠端におけるズームレンズの全長を短縮できる。また、非点収差や倍率色収差の発生を抑制できる。
【００３３】
条件式（１）の上限値を上回らないようにすることで、第２レンズ群の変倍比の増大を抑制できる。これにより、第３レンズ群に適切な大きさの変倍比を持たせることができる。適切な大きさの変倍比を第３レンズ群が持つことで、球面収差や軸上色収差を良好に補正できる。また、第２レンズ群の移動量の増大を抑制できるので、ズームレンズの全長を短縮できる。
【００３４】
条件式（２）は、広角端における第２レンズ群の横倍率に関するものである。
【００３５】
条件式（２）の下限値を下回らないようにすることで、広角端における第２レンズ群の横倍率の絶対値を小さくすることができる。これにより、広角端における第１レンズ群と第２レンズ群との間隔を適度に広げることができる。第１レンズ群と第２レンズ群との間隔が広くできると、第２レンズ群における軸外光線の高さの増大（高くなること）を抑制できる。その結果、倍率色収差や非点収差を良好に補正できる。
【００３６】
条件式（２）の上限値を上回らないようにすることで、広角端における第１レンズ群と第２レンズ群との間隔の増大を抑制できる。その結果、ズームレンズの全長を短縮できる。また、第２レンズ群における軸上光線の高さの増大を抑制できるので、球面収差の発生を抑制できる。
【００３７】
条件式（３）は、第２レンズ群の焦点距離と広角端におけるズームレンズ全系の焦点距離との比に関するものである。
【００３８】
条件式（３）の下限値を下回らないようにすることで、第２レンズ群の焦点距離を適度に長くする（屈折力を小さくする）ことができる。その結果、望遠端における球面収差や軸上色収差の発生を抑制できる。
【００３９】
条件式（３）の上限値を上回らないようにすることで、第２レンズ群の焦点距離を適度に短くする（屈折力を大きくする）ことができる。これにより、第２レンズ群と像面との間隔の増大を抑制でき、また、変倍時の第２レンズ群の移動量の増大を抑制できる。その結果、望遠端におけるズームレンズの全長を短縮できる。
【００４０】
なお、条件式（１）に代えて、以下の条件式（１’）を満足すると良い。
０．８５＜（β2t／β2w）／（β3t／β3w）＜１．３７      （１’）
さらに、条件式（１）に代えて、以下の条件式（１’’）を満足するとなお良い。
０．９５＜（β2t／β2w）／（β3t／β3w）＜１．３７      （１’’）
【００４１】
なお、条件式（２）に代えて、以下の条件式（２’）を満足すると良い。
−０．６５＜β2w＜−０．３３      （２’）
さらに、条件式（２）に代えて、以下の条件式（２’’）を満足するとなお良い。
−０．５６＜β2w＜−０．３３      （２’’）
【００４２】
なお、条件式（３）に代えて、以下の条件式（３’）を満足すると良い。
０．９８＜ｆ2／ｆw＜１．７０      （３’）
さらに、条件式（３）に代えて、以下の条件式（３’’）を満足するとなお良い。
１．００＜ｆ2／ｆw＜１．６０      （３’’）
【００４３】
第２実施形態のズームレンズは、上述の基本構成を備えると共に、第２施形態のズームレンズでは、変倍時、第１レンズ群は像側への移動を少なくとも含み、第１レンズ群における像側への移動は、変倍が広角端から始まったときの移動であり、第１レンズ群は少なくとも負レンズと正レンズとを含むと共に、負レンズが最も物体側に配置され、第３レンズ群は、２枚以上のレンズを有し、以下の条件式（１−１）、（３−１）を満足することを特徴とする。
０．７５＜（β2t／β2w）／（β3t／β3w）＜２．００      （１−１）
０．９６＜ｆ2／ｆw＜１．７０      （３−１）
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
【００４４】
第２実施形態のズームレンズでは、第３レンズ群は２枚以上のレンズを有している。このようにすることで、第３レンズ群における非点収差や倍率色収差の発生を抑制できる。
【００４５】
なお、第２実施形態のズームレンズでは、第１レンズ群は少なくとも負レンズと正レンズとを含むと共に、負レンズが最も物体側に配置され、変倍時、第１レンズ群は像側への移動を少なくとも含み、第１レンズ群における像側への移動は、変倍が広角端から始まったときの移動である。この構成は、第１実施形態のズームレンズにおける構成と同じである。そして、この構成の技術的意義の説明は、第１実施形態のズームレンズの説明のなかで行っている。よって、ここでの説明は省略する。
【００４６】
また、条件式（１−１）と条件式（３−１）の技術的意義は、それぞれ、条件式（１）と条件式（３）の技術的意義と同じである。ここで、条件式（１）と条件式（３）の技術的意義の説明は、第１実施形態のズームレンズの説明のなかで行っている。よって、ここでの説明は省略する。
【００４７】
なお、条件式（１−１）に代えて、以下の条件式（１−１’）を満足すると良い。
０．８５＜（β2t／β2w）／（β3t／β3w）＜１．７０      （１−１’）
さらに、条件式（１−１）に代えて、以下の条件式（１−１’’）を満足するとなお良い。
０．９５＜（β2t／β2w）／（β3t／β3w）＜１．４０      （１−１’’）
【００４８】
なお、条件式（３−１）に代えて、以下の条件式（３−１’）を満足すると良い。
０．９８＜ｆ2／ｆw＜１．５０      （３−１’）
さらに、条件式（３−１）に代えて、以下の条件式（３−１’’）を満足するとなお良い。
１．００＜ｆ2／ｆw＜１．４０      （３−１’’）
【００４９】
第３実施形態のズームレンズは、上述の基本構成を備えると共に、第３レンズ群は、１枚の負レンズからなり、以下の条件式（１）、（３−２）を満足することを特徴とする。
０．７５＜（β2t／β2w）／（β3t／β3w）＜１．３８      （１）
０．９４＜ｆ2／ｆw＜１．７０      （３−２）
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
【００５０】
第３実施形態のズームレンズでは、第３レンズ群は１枚の負レンズからなる。このようにすることで、第３レンズ群を小型化できる。
【００５１】
また、条件式（３−２）の技術的意義は、条件式（３）の技術的意義と同じである。ここで、条件式（１）と条件式（３）の技術的意義の説明は、第１実施形態のズームレンズの説明のなかで行っている。よって、ここでの説明は省略する。
【００５２】
なお、条件式（１）に代えて、以下の条件式（１’’’）を満足すると良い。
０．８５＜（β2t／β2w）／（β3t／β3w）＜１．３３      （１’’’）
さらに、条件式（１）に代えて、以下の条件式（１’’’’）を満足するとなお良い。
０．９５＜（β2t／β2w）／（β3t／β3w）＜１．３１      （１’’’’）
【００５３】
なお、条件式（３−２）に代えて、以下の条件式（３−２’）を満足すると良い。
１．００＜ｆ2／ｆw＜１．５０      （３−２’）
さらに、条件式（３−２）に代えて、以下の条件式（３−２’’）を満足するとなお良い。
１．１０＜ｆ2／ｆw＜１．４０      （３−２’’）
【００５４】
また、第２実施形態のズームレンズと第３実施形態のズームレンズは、以下の条件式（２）を満足することが好ましい。
−０．７０＜β2w＜−０．３２      （２）
ここで、
β2wは、広角端における無限遠物点合焦時の第２レンズ群の横倍率、
である。
【００５５】
条件式（２）の技術的意義の説明は、第１実施形態のズームレンズの説明のなかで行っている。よって、ここでの説明は省略する。
【００５６】
なお、条件式（２）に代えて、上述の条件式（２’）を満足すると良い。さらに、条件式（２）に代えて、上述の条件式（２’’）を満足するとなお良い。
【００５７】
また、上述の実施形態のズームレンズは、以下の条件式（４）を満足することが好ましい。
１．０５＜β3w＜１．３５      （４）
ここで、
β3wは、広角端における無限遠物点合焦時の第３レンズ群の横倍率、
である。
【００５８】
条件式（４）は、広角端における第３レンズ群の横倍率に関するものである。
【００５９】
条件式（４）の下限値を下回らないようにすることで、光学系全体の主点をより物体側に位置させることができる。これにより、光学系のテレフォト性を強めることができる。その結果、諸収差を良好に補正しつつ、ズームレンズの全長を短縮できる。
【００６０】
条件式（４）の上限値を上回らないようにすることで、広角端における第３レンズ群の横倍率の増大を抑制できる。これにより、望遠端における第３レンズ群の横倍率の増大も抑制できるので、ズームレンズの全長を短縮できる。また、第３レンズ群における球面収差の発生を抑制しながら、第１レンズ群と第２レンズ群とで発生した倍率色収差、歪曲収差及び非点収差を良好に補正できる。また、第３レンズ群と像面との間隔を短縮できるので、ズームレンズの全長を短縮できる。
【００６１】
なお、条件式（４）に代えて、以下の条件式（４’）を満足すると良い。
１．１０＜β3w＜１．３４      （４’）
さらに、条件式（４）に代えて、以下の条件式（４’’）を満足するとなお良い。
１．１５＜β3w＜１．３３      （４’’）
【００６２】
また、上述の実施形態のズームレンズは、以下の条件式（５）を満足することが好ましい。
１．７０＜β3t＜３．００      （５）
ここで、
β3tは、望遠端における無限遠物点合焦時の第３レンズ群の横倍率、
である。
【００６３】
条件式（５）は、望遠端における第３レンズ群の横倍率に関するものである。
【００６４】
条件式（５）の下限値を下回らないようにすることで、光学系全体の主点をより物体側に位置させることができる。これにより、光学系のテレフォト性を強めることができる。その結果、諸収差を良好に補正しつつ、ズームレンズの全長を短縮できる。
【００６５】
条件式（５）の上限値を上回らないようにすることで、第３レンズ群における球面収差や軸上色収差の発生を抑制できる。また、第３レンズ群の最も像側に位置するレンズと像面との間隔を短縮できるので、ズームレンズの全長を短縮できる。
【００６６】
なお、条件式（５）に代えて、以下の条件式（５’）を満足すると良い。
１．７５＜β3t＜２．９０      （５’）
さらに、条件式（５）に代えて、以下の条件式（５’’）を満足するとなお良い。
１．８０＜β3t＜２．８０      （５’’）
【００６７】
また、本実施形態のズームレンズでは、以下の条件式（６）を満足することが好ましい。
−２．５０＜ｆ1／ｆw＜−１．４９      （６）
ここで、
ｆ1は、第１レンズ群の焦点距離、
ｆwは、広角端におけるズームレンズ全系の焦点距離、
である。
【００６８】
条件式（６）は、第１レンズ群の焦点距離と広角端におけるズームレンズ全系の焦点距離との比に関するものである。
【００６９】
条件式（６）の下限値を下回らないようにすることで、第１レンズ群の焦点距離を適度に短くする（屈折力を大きくする）ことができる。この場合、入射瞳をより物体側に位置させることができるので、第１レンズ群を構成しているレンズの径を小さくできる。その結果、光学系を小型化できる。
【００７０】
また、第１レンズ群の焦点距離を適度に短くすることで、第１レンズ群の像点をより像側に位置させることができる。この場合、第２レンズ群の物点（第１レンズ群の像点）も、より第２レンズ群に近づくことになる。そのため、広角端における第２レンズ群の横倍率を大きくできる。その結果、広角端におけるズームレンズの全長を短縮できる。
【００７１】
条件式（６）の上限値を上回らないようにすることで、第１レンズ群の焦点距離を適度に長くする（屈折力を小さくする）ことができる。これにより、広角端における非点収差や倍率色収差の発生を抑制でき、また、望遠端における倍率色収差の発生を抑制できる。
【００７２】
なお、条件式（６）に代えて、以下の条件式（６’）を満足すると良い。
−２．４０＜ｆ1／ｆw＜−１．５２      （６’）
さらに、条件式（６）に代えて、以下の条件式（６’’）を満足するとなお良い。
−２．３０＜ｆ1／ｆw＜−１．５５      （６’’）
【００７３】
また、本実施形態のズームレンズでは、以下の条件式（７）を満足することが好ましい。
−２．５０＜ｆ3／ｆw＜−１．５０      （７）
ここで、
ｆ3は、第３レンズ群の焦点距離、
ｆwは、広角端におけるズームレンズ全系の焦点距離、
である。
【００７４】
条件式（７）は、第３レンズ群の焦点距離と広角端におけるズームレンズ全系の焦点距離との比に関するものである。
【００７５】
条件式（７）の下限値を下回らないようにすることで、第３レンズ群の焦点距離を適度に短くする（屈折力を大きくする）ことができる。これにより、第３レンズ群の最も像側に位置するレンズの径を小さくできる。また、望遠端における球面収差や軸上色収差を良好に補正できる。
【００７６】
条件式（７）の上限値を上回らないようにすることで、第３レンズ群の焦点距離を適度に長くする（屈折力を小さくする）ことができる。これにより、広角端における非点収差や倍率色収差の発生を抑えることができる。
【００７７】
なお、条件式（７）に代えて、以下の条件式（７’）を満足すると良い。
−２．４０＜ｆ3／ｆw＜−１．５５      （７’）
さらに、条件式（７）に代えて、以下の条件式（７’’）を満足するとなお良い。
−２．３０＜ｆ3／ｆw＜−１．６０      （７’’）
【００７８】
また、本実施形態のズームレンズでは、以下の条件式（８）を満足することが好ましい。
０．４６＜（β2t／β2w）／（ｆt／ｆw）＜０．８０      （８）
ここで、
β2tは、望遠端における第２レンズ群の横倍率、
β2wは、広角端における第２レンズ群の横倍率であって、
いずれも、無限遠物点合焦時の横倍率、
ｆtは、望遠端におけるズームレンズ全系の焦点距離、
ｆwは、広角端におけるズームレンズ全系の焦点距離、
である。
【００７９】
条件式（８）は、第２レンズ群の変倍比に関するものである。
【００８０】
条件式（８）の下限値を下回らないようにすることで、第２レンズ群における変倍比を適度な大きさにできる。第２レンズ群は開口絞りを含んでいるので、第１レンズ群や第３レンズ群に比べて、第２レンズ群では軸外光線の高さが低い。そこで、第２レンズ群にある程度の大きさの変倍比を持たせることで、倍率色収差、非点収差及び歪曲収差の発生を抑制できる。
【００８１】
条件式（８）の上限値を上回らないようにすることで、第２レンズ群における変倍比の増大を抑制できる。これにより、第２レンズ群の移動量の増大を抑制できる。その結果、ズームレンズの全長を短縮できる。また、第２レンズ群の移動量の増大を抑制することで、広角端と望遠端とで、第２レンズ群を通過する軸上光線の高さの差を少なくできる。その結果、変倍時の球面収差の変動を抑制できる。
【００８２】
なお、条件式（８）に代えて、以下の条件式（８’）を満足すると良い。
０．５０＜（β2t／β2w）／（ｆt／ｆw）＜０．７５      （８’）
さらに、条件式（８）に代えて、以下の条件式（８’’）を満足するとなお良い。
０．５５＜（β2t／β2w）／（ｆt／ｆw）＜０．７０      （８’’）
【００８３】
また、本実施形態のズームレンズでは、以下の条件式（９）を満足することが好ましい。
１．００＜Ｄaiw／（ｔａｎωt×ｆt）＜２．９０      （９）
ここで、
Ｄaiwは、広角端における開口絞りと像面との間隔、
ωtは、望遠端における半画角、
ｆtは、望遠端におけるズームレンズ全系の焦点距離、
である。
【００８４】
条件式（９）は、広角端における開口絞りと像面との間隔と、望遠端における半画角と望遠端におけるズームレンズ全系の焦点距離の積との比をとったものである。
【００８５】
条件式（９）の下限値を下回らないようにすることで、開口絞りの位置を像面から適度に離すことができる。このようにすると、広角端において、第１レンズ群を開口絞りの近くに配置できる。これにより、第１レンズ群を通過する軸外光線の高さを低くできる。そのため、第１レンズ群を構成しているレンズの径を小さくできる。その結果、光学系を小型化できる。また、広角端における歪曲収差や非点収差などの軸外収差を良好に補正できる。
【００８６】
条件式（９）の上限値を上回らないようにすることで、広角端における開口絞りと像面との間隔を短縮できる。その結果、広角端におけるズームレンズの全長を短縮できる。
【００８７】
また、広角端から望遠端への変倍時に、開口絞りが物体側へ動くと、開口絞りは望遠端において最も物体側に位置する。そのため、ズームレンズの全長は望遠端において長くなりやすい。そこで、条件式（９）の上限値を上回らないようにすることで、広角端において、開口絞りの位置を像面に近づけておくことができる。その結果、全長が長くなりやすい望遠端においても、ズームレンズの全長を短縮できる。
【００８８】
また、望遠端において開口絞りを最も物体側に位置させることにより、開口絞りの両側のレンズ群の屈折力を、開口絞りを挟んで対称にできる。よって、望遠端において、歪曲収差や倍率色収差を良好に補正できる。
【００８９】
なお、条件式（９）に代えて、以下の条件式（９’）を満足すると良い。
１．３０＜Ｄaiw／（ｔａｎωt×ｆt）＜２．８０      （９’）
さらに、条件式（９）に代えて、以下の条件式（９’’）を満足するとなお良い。
１．５０＜Ｄaiw／（ｔａｎωt×ｆt）＜２．７０      （９’’）
【００９０】
また、本実施形態のズームレンズでは、以下の条件式（１０）を満足することが好ましい。
１．００＜ＥＸＰw／（ｔａｎωt×ｆt）＜４．５０      （１０）
ここで、
ＥＸＰwは、広角端における像面と射出瞳との間隔、
ωtは、望遠端における半画角、
ｆtは、望遠端におけるズームレンズ全系の焦点距離、
である。
【００９１】
条件式（１０）は、広角端における像面と射出瞳との距離と、望遠端における半画角と望遠端におけるズームレンズ全系の焦点距離の積との比をとったものである。
【００９２】
条件式（１０）の下限値を下回らないようにすることで、射出瞳の位置を像面から適度に離すことが可能となる。これにより、広角端における歪曲収差や非点収差の補正に必要なレンズを、開口絞りから像面までの間に配置することができる。その結果、広角端における歪曲収差や非点収差を良好に補正できる。
【００９３】
条件式（１０）の上限値を上回らないようにすることで、射出瞳の位置を像面から離れすぎないようにすること（適度に像面に近づけること）ができる。このようにすると、広角端において、開口絞りと像面との間隔を短縮できる。その結果、広角端におけるズームレンズの全長を短縮できる。
【００９４】
また、撮像素子へ入射する光線の入射角度を大きくできる。これにより、撮像素子のサイズに対して第３レンズ群の最も像側に位置するレンズの径が大きくなり過ぎないようにすることができる。その結果、光学系の小型化ができる。
【００９５】
なお、条件式（１０）に代えて、以下の条件式（１０’）を満足すると良い。
１．８０＜ＥＸＰw／（ｔａｎωt×ｆt）＜４．００      （１０’）
さらに、条件式（１０）に代えて、以下の条件式（１０’’）を満足するとなお良い。
２．３０＜ＥＸＰw／（ｔａｎωt×ｆt）＜３．６０      （１０’’）
【００９６】
また、本実施形態のズームレンズでは、合焦時、第３レンズ群のみが移動することが好ましい。
【００９７】
本実施形態のズームレンズでは、第３レンズ群を少ない枚数で構成できる。そこで、合焦時に第３レンズ群を移動させることで、高速で、駆動音の少ない合焦ができる。
【００９８】
なお、第１〜第３の実施形態のズームレンズにおける第１レンズ群では、最も物体側に位置するレンズが、物体側に凸面（像側に凹面）を向けた負メニスカスレンズであることが好ましい。また、第１レンズ群では、最も像側に位置するレンズが、物体側に凸面（像側に凹面）を向けた正メニスカスレンズであることが好ましい。
【００９９】
また、第２の実施形態のズームレンズにおける第３レンズ群では、最も物体側に位置するレンズが正の屈折力を有し、最も像側に位置するレンズが負の屈折力を有することが好ましい。また、第２の実施形態のズームレンズにおける第３レンズ群では、最も物体側に位置するレンズが、像側に凸面（物体側に凹面）を向けた正メニスカスレンズであることが好ましい。また、第３の実施形態のズームレンズにおける第３レンズ群では、最も像側に位置するレンズが、像側に凸面（物体側に凹面）を向けた負メニスカスレンズであることが好ましい。
【０１００】
また、第１〜第３の実施形態のズームレンズでは、広角端から望遠端への変倍時に、第２レンズ群（又は開口絞り）は物体側へ移動することが好ましい。また、第２の実施形態のズームレンズでは、広角端から望遠端への変倍時に、第１レンズ群は像側へ移動した後、物体側へ移動することが好ましい。
【０１０１】
また、本実施形態のレンズ鏡筒は、上記のいずれかのズームレンズと、筐体と接続するための接続部と、を備え、筐体に、ズームレンズにより形成される光学像を電気信号に変換する撮像素子が配置されていることを特徴とする。
【０１０２】
このようにすることで、諸収差が良好に補正され、なお且つ、全長が短く、小型なズームレンズを備えたレンズ鏡筒を提供できる。
【０１０３】
また、本実施形態の撮像装置は、上記のいずれかのズームレンズと、ズームレンズにより形成される光学像を電気信号に変換する撮像素子と、を備えることを特徴とする。
【０１０４】
このようにすることで、諸収差が良好に補正され、なお且つ、全長が短く、小型なズームレンズを備えた撮像装置を提供できる。
【０１０５】
また、本実施形態の撮像装置は、画像変換部を有し、画像変換部は、ズームレンズによる歪曲収差を含んだ電気信号を画像処理により歪曲収差を補正した画像信号に変換することが好ましい。
【０１０６】
このようにすることで、ズームレンズが歪曲収差（ディストーション）を持つ場合、光学像も歪曲収差を有する。このような光学像を撮像素子で撮像すると、撮像素子で変換された電気信号は歪曲収差を含む。そこで、画像変換部（画像処理部）を用いて、歪曲収差を含んだ電気信号を画像処理により歪曲収差を補正した画像信号に変換することが好ましい。
【０１０７】
歪曲収差を電気的に補正することにより、ズームレンズ自体の収差補正負担を軽減できる。また、第１レンズ群の負の屈折力に関して、適切な大きさの屈折力の確保が容易となる。このようなことから、電気的な歪曲収差の電気的な補正は、光学系の小型化と高変倍比化に有利となる。また、歪曲収差の補正量を色信号ごとに変更して、倍率の色収差も画像処理により補正してもよい。
【０１０８】
なお、各条件式について、下限値、上限値の何れかまたは双方を限定することで、その機能をより確実にできるので好ましい。また、各条件式について、より限定した条件式の数値範囲の上限値あるいは下限値のみを限定しても構わない。また、条件式の数値範囲を限定するにあたっては、上記の各条件式の上限値又は下限値を、上記の他の条件式の上限値又は下限値としても良い。
【０１０９】
以下に、本発明のある態様に係るズームレンズの実施例を、図面に基づいて詳細に説明する。なお、この実施例によりこの発明が限定されるものではない。また、屈折力の正、負は近軸曲率半径に基づく。
【０１１０】
実施例１に係るズームレンズについて説明する。図１は、実施例１に係るズームレンズの無限遠物点合焦時の光学構成を示す光軸に沿う断面図（レンズ断面図）であって、（ａ）は広角端での断面図、（ｂ）は中間焦点距離状態での断面図、（ｃ）は望遠端での断面図である。なお、以下全ての実施例において、断面図中、Ｃはカバーガラス、Ｉは撮像素子の撮像面を示している。
【０１１１】
図２は、実施例１に係るズームレンズの無限遠物点合焦時における収差図である。ここで、ＦＩＹは最大像高である。なお、収差図における記号は、後述の実施例においても共通である。
【０１１２】
また、これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示している。
【０１１３】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示している。
【０１１４】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示している。
【０１１５】
実施例１のズームレンズは、図１に示すように、物体側より順に、負屈折力の第１レンズ群Ｇ１と、正屈折力の第２レンズ群Ｇ２と、負屈折力の第３レンズ群Ｇ３と、からなる。
【０１１６】
第１レンズ群Ｇ１は、両凹負レンズＬ１と、物体側に凸面を向けた正メニスカスレンズＬ２と、からなる。
【０１１７】
第２レンズ群Ｇ２は、両凸正レンズＬ３と、両凹負レンズＬ４と、両凸正レンズＬ５と、からなる。ここで、両凹負レンズＬ４と両凸正レンズＬ５とが接合されている。
【０１１８】
第３レンズ群Ｇ３は、像側に凸面を向けた正メニスカスレンズＬ６と、両凹負レンズＬ７と、からなる。
【０１１９】
また、開口絞りＳは、第２レンズ群Ｇ２中に配置されている。より具体的には、開口絞りＳは、両凸正レンズＬ３と両凹負レンズＬ４との間に配置されている。
【０１２０】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１２１】
また、被写体への合焦は第３レンズ群Ｇ３の移動によって行われる。無限遠物点から近距離物点への合焦時、正メニスカスレンズＬ６と両凹負レンズＬ７とが像側へ移動する。
【０１２２】
非球面は、両凸正レンズＬ３の両面と、正メニスカスレンズＬ６の物体側面と、両凹負レンズＬ７の両面と、の合計５面に設けられている。
【０１２３】
次に、実施例２に係るズームレンズについて説明する。図３は、実施例２に係るズームレンズの無限遠物点合焦時の光学構成を示す光軸に沿う断面図である。図４は実施例２に係るズームレンズの無限遠物点合焦時における収差図である。
【０１２４】
実施例２のズームレンズは、図３に示すように、物体側より順に、負屈折力の第１レンズ群Ｇ１と、正屈折力の第２レンズ群Ｇ２と、負屈折力の第３レンズ群Ｇ３と、からなる。
【０１２５】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０１２６】
第２レンズ群Ｇ２は、両凸正レンズＬ４と、両凹負レンズＬ５と、両凸正レンズＬ６と、からなる。ここで、両凹負レンズＬ５と両凸正レンズＬ６とが接合されている。
【０１２７】
第３レンズ群Ｇ３は、像側に凸面を向けた正メニスカスレンズＬ７と、像側に凸面を向けた負メニスカスレンズＬ８と、からなる。
【０１２８】
また、開口絞りＳは、第２レンズ群Ｇ２中に配置されている。より具体的には、開口絞りＳは、両凸正レンズＬ４と両凹負レンズＬ５との間に配置されている。
【０１２９】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１３０】
また、被写体への合焦は第３レンズ群Ｇ３の移動によって行われる。無限遠物点から近距離物点への合焦時、正メニスカスレンズＬ７と負メニスカスレンズＬ８とが像側へ移動する。
【０１３１】
非球面は、負メニスカスレンズＬ１の像側面と、両凸正レンズＬ４の両面と、負メニスカスレンズＬ８の両面と、の合計５面に設けられている。
【０１３２】
次に、実施例３に係るズームレンズについて説明する。図５は、実施例３に係るズームレンズの無限遠物点合焦時の光学構成を示す光軸に沿う断面図である。図６は実施例３に係るズームレンズの無限遠物点合焦時における収差図である。
【０１３３】
実施例３のズームレンズは、図５に示すように、物体側より順に、負屈折力の第１レンズ群Ｇ１と、正屈折力の第２レンズ群Ｇ２と、負屈折力の第３レンズ群Ｇ３と、からなる。
【０１３４】
第１レンズ群Ｇ１は、物体側に凸面を向けた負メニスカスレンズＬ１と、像側に凸面を向けた負メニスカスレンズＬ２と、物体側に凸面を向けた正メニスカスレンズＬ３と、からなる。
【０１３５】
第２レンズ群Ｇ２は、両凸正レンズＬ４と、両凹負レンズＬ５と、両凸正レンズＬ６と、からなる。ここで、両凹負レンズＬ５と両凸正レンズＬ６とが接合されている。
【０１３６】
第３レンズ群Ｇ３は、像側に凸面を向けた正メニスカスレンズＬ７と、像側に凸面を向けた負メニスカスレンズＬ８と、からなる。
【０１３７】
また、開口絞りＳは、第２レンズ群Ｇ２中に配置されている。より具体的には、開口絞りＳは、両凸正レンズＬ４と両凹負レンズＬ５との間に配置されている。
【０１３８】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１３９】
また、被写体への合焦は第３レンズ群Ｇ３の移動によって行われる。無限遠物点から近距離物点への合焦時、正メニスカスレンズＬ７と負メニスカスレンズＬ８とが像側へ移動する。
【０１４０】
非球面は、両凸正レンズＬ４の両面と、負メニスカスレンズＬ８の両面と、の合計４面に設けられている。
【０１４１】
次に、実施例４に係るズームレンズについて説明する。図７は、実施例４に係るズームレンズの無限遠物点合焦時の光学構成を示す光軸に沿う断面図である。図８は実施例４に係るズームレンズの無限遠物点合焦時における収差図である。
【０１４２】
実施例４のズームレンズは、図７に示すように、物体側より順に、負屈折力の第１レンズ群Ｇ１と、正屈折力の第２レンズ群Ｇ２と、負屈折力の第３レンズ群Ｇ３と、からなる。
【０１４３】
第１レンズ群Ｇ１は、物体側に凸面を向けた負メニスカスレンズＬ１と、像側に凸面を向けた負メニスカスレンズＬ２と、物体側に凸面を向けた正メニスカスレンズＬ３と、からなる。
【０１４４】
第２レンズ群Ｇ２は、両凸正レンズＬ４と、物体側に凸面を向けた負メニスカスレンズＬ５と、物体側に凸面を向けた正メニスカスレンズＬ６と、像側に凸面を向けた正メニスカスレンズＬ７と、からなる。ここで、負メニスカスレンズＬ５と正メニスカスレンズＬ６とが接合されている。
【０１４５】
第３レンズ群Ｇ３は、像側に凸面を向けた正メニスカスレンズＬ８と、像側に凸面を向けた負メニスカスレンズＬ９と、からなる。
【０１４６】
また、開口絞りＳは、第２レンズ群Ｇ２中に配置されている。より具体的には、開口絞りＳは、両凸正レンズＬ４と負メニスカスレンズＬ５との間に配置されている。
【０１４７】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１４８】
また、被写体への合焦は第３レンズ群Ｇ３の移動によって行われる。無限遠物点から近距離物点への合焦時、正メニスカスレンズＬ８と負メニスカスレンズＬ９とが像側へ移動する。
【０１４９】
非球面は、両凸正レンズＬ４の両面と、両凸正レンズＬ７の両面と、正メニスカスレンズＬ８の物体側面と、負メニスカスレンズＬ９の像側面と、の合計６面に設けられている。
【０１５０】
次に、実施例５に係るズームレンズについて説明する。図９は、実施例５に係るズームレンズの無限遠物点合焦時の光学構成を示す光軸に沿う断面図である。図１０は実施例５に係るズームレンズの無限遠物点合焦時における収差図である。
【０１５１】
実施例５のズームレンズは、図９に示すように、物体側より順に、負屈折力の第１レンズ群Ｇ１と、正屈折力の第２レンズ群Ｇ２と、負屈折力の第３レンズ群Ｇ３と、からなる。
【０１５２】
第１レンズ群Ｇ１は、物体側に凸面を向けた負メニスカスレンズＬ１と、像側に凸面を向けた負メニスカスレンズＬ２と、物体側に凸面を向けた正メニスカスレンズＬ３と、からなる。
【０１５３】
第２レンズ群Ｇ２は、両凸正レンズＬ４と、両凸正レンズＬ５と、両凹負レンズＬ６と、物体側に凸面を向けた負メニスカスレンズＬ７と、両凸正レンズＬ８と、からなる。ここで、両凸正レンズＬ５と両凹負レンズＬ６とが接合されている。また、負メニスカスレンズＬ７と両凸正レンズＬ８とが接合されている。
【０１５４】
第３レンズ群Ｇ３は、像側に凸面を向けた正メニスカスレンズＬ９と、両凹負レンズＬ１０と、からなる。
【０１５５】
また、開口絞りＳは、第２レンズ群Ｇ２中に配置されている。より具体的には、開口絞りＳは、両凸正レンズＬ４と両凸正レンズＬ５との間に配置されている。
【０１５６】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１５７】
また、被写体への合焦は第３レンズ群Ｇ３の移動によって行われる。無限遠物点から近距離物点への合焦時、正メニスカスレンズＬ９と両凹負レンズＬ１０とが像側へ移動する。
【０１５８】
非球面は、両凸正レンズＬ４の両面と、正メニスカスレンズＬ９の物体側面と、両凹負レンズＬ１０の像側面と、の合計４面に設けられている。
【０１５９】
次に、実施例６に係るズームレンズについて説明する。図１１は、実施例６に係るズームレンズの無限遠物点合焦時の光学構成を示す光軸に沿う断面図である。図１２は実施例６に係るズームレンズの無限遠物点合焦時における収差図である。
【０１６０】
実施例６のズームレンズは、図１１に示すように、物体側より順に、負屈折力の第１レンズ群Ｇ１と、正屈折力の第２レンズ群Ｇ２と、負屈折力の第３レンズ群Ｇ３と、からなる。
【０１６１】
第１レンズ群Ｇ１は、物体側に凸面を向けた負メニスカスレンズＬ１と、像側に凸面を向けた負メニスカスレンズＬ２と、物体側に凸面を向けた正メニスカスレンズＬ３と、からなる。
【０１６２】
第２レンズ群Ｇ２は、両凸正レンズＬ４と、両凸正レンズＬ５と、両凹負レンズＬ６と、物体側に凸面を向けた負メニスカスレンズＬ７と、両凸正レンズＬ８と、からなる。ここで、両凸正レンズＬ５と両凹負レンズＬ６とが接合されている。また、負メニスカスレンズＬ７と両凸正レンズＬ８とが接合されている。
【０１６３】
第３レンズ群Ｇ３は、像側に凸面を向けた正メニスカスレンズＬ９と、像側に凸面を向けた負メニスカスレンズＬ１０と、像側に凸面を向けた負メニスカスレンズＬ１１と、からなる。
【０１６４】
また、開口絞りＳは、第２レンズ群Ｇ２中に配置されている。より具体的には、開口絞りＳは、両凸正レンズＬ４と両凸正レンズＬ５との間に配置されている。
【０１６５】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１６６】
また、被写体への合焦は第３レンズ群Ｇ３の移動によって行われる。無限遠物点から近距離物点への合焦時、正メニスカスレンズＬ９、負メニスカスレンズＬ１０及び負メニスカスレンズＬ１１が像側へ移動する。
【０１６７】
非球面は、両凸正レンズＬ４の両面と、正メニスカスレンズＬ９の物体側面と、負メニスカスレンズＬ１１の像側面と、の合計４面に設けられている。
【０１６８】
次に、実施例７に係るズームレンズについて説明する。図１３は、実施例７に係るズームレンズの無限遠物点合焦時の光学構成を示す光軸に沿う断面図である。図１４は実施例７に係るズームレンズの無限遠物点合焦時における収差図である。
【０１６９】
実施例７のズームレンズは、図１３に示すように、物体側より順に、負屈折力の第１レンズ群Ｇ１と、正屈折力の第２レンズ群Ｇ２と、負屈折力の第３レンズ群Ｇ３と、からなる。
【０１７０】
第１レンズ群Ｇ１は、物体側に凸面を向けた負メニスカスレンズＬ１と、像側に凸面を向けた負メニスカスレンズＬ２と、物体側に凸面を向けた正メニスカスレンズＬ３と、からなる。
【０１７１】
第２レンズ群Ｇ２は、両凸正レンズＬ４と、両凸正レンズＬ５と、両凹負レンズＬ６と、像側に凸面を向けた正メニスカスレンズＬ７と、からなる。ここで、両凸正レンズＬ５と両凹負レンズＬ６とが接合されている。
【０１７２】
第３レンズ群Ｇ３は、像側に凸面を向けた正メニスカスレンズＬ８と、像側に凸面を向けた負メニスカスレンズＬ９と、からなる。
【０１７３】
また、開口絞りＳは、第２レンズ群Ｇ２中に配置されている。より具体的には、開口絞りＳは、両凸正レンズＬ４と両凸正レンズＬ５との間に配置されている。
【０１７４】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１７５】
また、被写体への合焦は第３レンズ群Ｇ３の移動によって行われる。無限遠物点から近距離物点への合焦時、正メニスカスレンズＬ８と負メニスカスレンズＬ９とが像側へ移動する。
【０１７６】
非球面は、両凸正レンズＬ４の両面と、正メニスカスレンズＬ７の像側面と、正メニスカスレンズＬ８の物体側面と、負メニスカスレンズＬ９の像側面と、の合計５面に設けられている。
【０１７７】
次に、実施例８に係るズームレンズについて説明する。図１５は、実施例８に係るズームレンズの無限遠物点合焦時の光学構成を示す光軸に沿う断面図である。図１６は実施例８に係るズームレンズの無限遠物点合焦時における収差図である。
【０１７８】
実施例８のズームレンズは、図１５に示すように、物体側より順に、負屈折力の第１レンズ群Ｇ１と、正屈折力の第２レンズ群Ｇ２と、負屈折力の第３レンズ群Ｇ３と、からなる。
【０１７９】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０１８０】
第２レンズ群Ｇ２は、両凸正レンズＬ４と、両凹負レンズＬ５と、両凸正レンズＬ６と、からなる。ここで、両凹負レンズＬ５と両凸正レンズＬ６とが接合されている。
【０１８１】
第３レンズ群Ｇ３は、像側に凸面を向けた正メニスカスレンズＬ７と、像側に凸面を向けた負メニスカスレンズＬ８と、からなる。
【０１８２】
また、開口絞りＳは、第２レンズ群Ｇ２中に配置されている。より具体的には、開口絞りＳは、両凸正レンズＬ４と両凹負レンズＬ５との間に配置されている。
【０１８３】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１８４】
また、被写体への合焦は第３レンズ群Ｇ３の移動によって行われる。無限遠物点から近距離物点への合焦時、正メニスカスレンズＬ７と負メニスカスレンズＬ８とが像側へ移動する。
【０１８５】
非球面は、負メニスカスレンズＬ２の両面と、両凸正レンズＬ４の両面と、両凸正レンズＬ６の像側面と、正メニスカスレンズＬ７の像側面と、負メニスカスレンズＬ８の両面と、の合計８面に設けられている。
【０１８６】
次に、実施例９に係るズームレンズについて説明する。図１７は、実施例９に係るズームレンズの無限遠物点合焦時の光学構成を示す光軸に沿う断面図である。図１８は実施例９に係るズームレンズの無限遠物点合焦時における収差図である。
【０１８７】
実施例９のズームレンズは、図１７に示すように、物体側より順に、負屈折力の第１レンズ群Ｇ１と、正屈折力の第２レンズ群Ｇ２と、負屈折力の第３レンズ群Ｇ３と、からなる。
【０１８８】
第１レンズ群Ｇ１は、物体側に凸面を向けた負メニスカスレンズＬ１と、両凹負レンズＬ２と、物体側に凸面を向けた正メニスカスレンズＬ３と、からなる。
【０１８９】
第２レンズ群Ｇ２は、両凸正レンズＬ４と、両凸正レンズＬ５と、像側に凸面を向けた負メニスカスレンズＬ６と、像側に凸面を向けた正メニスカスレンズＬ７と、像側に凸面を向けた負メニスカスレンズＬ８と、からなる。ここで、両凸正レンズＬ５と負メニスカスレンズＬ６とが接合されている。また、正メニスカスレンズＬ７と負メニスカスレンズＬ８とが接合されている。
【０１９０】
第３レンズ群Ｇ３は、像側に凸面を向けた負メニスカスレンズＬ９からなる。
【０１９１】
また、開口絞りＳは、第２レンズ群Ｇ２中に配置されている。より具体的には、開口絞りＳは、負メニスカスレンズＬ６と正メニスカスレンズＬ７との間に配置されている。
【０１９２】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０１９３】
また、被写体への合焦は第３レンズ群Ｇ３の移動によって行われる。無限遠物点から近距離物点への合焦時、負メニスカスレンズＬ９が像側へ移動する。
【０１９４】
非球面は、両凹負レンズＬ２の両面と、両凸正レンズＬ４の両面と、正メニスカスレンズＬ７の物体側面と、負メニスカスレンズＬ９の像側面と、の合計６面に設けられている。
【０１９５】
次に、実施例１０に係るズームレンズについて説明する。図１９は、実施例１０に係るズームレンズの無限遠物点合焦時の光学構成を示す光軸に沿う断面図である。図２０は実施例１０に係るズームレンズの無限遠物点合焦時における収差図である。
【０１９６】
実施例１０のズームレンズは、図１９に示すように、物体側より順に、負屈折力の第１レンズ群Ｇ１と、正屈折力の第２レンズ群Ｇ２と、負屈折力の第３レンズ群Ｇ３と、からなる。
【０１９７】
第１レンズ群Ｇ１は、物体側に凸面を向けた負メニスカスレンズＬ１と、両凹負レンズＬ２と、物体側に凸面を向けた正メニスカスレンズＬ３と、からなる。
【０１９８】
第２レンズ群Ｇ２は、物体側に凸面を向けた正メニスカスレンズＬ４と、両凸正レンズＬ５と、像側に凸面を向けた負メニスカスレンズＬ６と、両凸正レンズＬ７と、像側に凸面を向けた負メニスカスレンズＬ８と、からなる。ここで、両凸正レンズＬ５と負メニスカスレンズＬ６とが接合されている。また、両凸正レンズＬ７と負メニスカスレンズＬ８とが接合されている。
【０１９９】
第３レンズ群Ｇ３は、像側に凸面を向けた負メニスカスレンズＬ９からなる。
【０２００】
また、開口絞りＳは、第２レンズ群Ｇ２中に配置されている。より具体的には、開口絞りＳは、負メニスカスレンズＬ６と両凸正レンズＬ７との間に配置されている。
【０２０１】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２０２】
また、被写体への合焦は第３レンズ群Ｇ３の移動によって行われる。無限遠物点から近距離物点への合焦時、負メニスカスレンズＬ９が像側へ移動する。
【０２０３】
非球面は、両凹負レンズＬ２の両面と、正メニスカスレンズＬ４の両面と、両凸正レンズＬ７の物体側面と、負メニスカスレンズＬ９の像側面と、の合計６面に設けられている。
【０２０４】
次に、実施例１１に係るズームレンズについて説明する。図２１は、実施例１１に係るズームレンズの無限遠物点合焦時の光学構成を示す光軸に沿う断面図である。図２２は実施例１１に係るズームレンズの無限遠物点合焦時における収差図である。
【０２０５】
実施例１１のズームレンズは、図２１に示すように、物体側より順に、負屈折力の第１レンズ群Ｇ１と、正屈折力の第２レンズ群Ｇ２と、負屈折力の第３レンズ群Ｇ３と、からなる。
【０２０６】
第１レンズ群Ｇ１は、物体側に凸面を向けた負メニスカスレンズＬ１と、両凹負レンズＬ２と、物体側に凸面を向けた正メニスカスレンズＬ３と、からなる。
【０２０７】
第２レンズ群Ｇ２は、物体側に凸面を向けた正メニスカスレンズＬ４と、両凸正レンズＬ５と、像側に凸面を向けた負メニスカスレンズＬ６と、両凸正レンズＬ７と、像側に凸面を向けた負メニスカスレンズＬ８と、からなる。ここで、両凸正レンズＬ５と負メニスカスレンズＬ６とが接合されている。また、両凸正レンズＬ７と負メニスカスレンズＬ８とが接合されている。
【０２０８】
第３レンズ群Ｇ３は、像側に凸面を向けた負メニスカスレンズＬ９からなる。
【０２０９】
また、開口絞りＳは、第２レンズ群Ｇ２中に配置されている。より具体的には、開口絞りＳは、負メニスカスレンズＬ６と両凸正レンズＬ７との間に配置されている。
【０２１０】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２１１】
また、被写体への合焦は第３レンズ群Ｇ３の移動によって行われる。無限遠物点から近距離物点への合焦時、負メニスカスレンズＬ９が像側へ移動する。
【０２１２】
非球面は、両凹負レンズＬ２の両面と、正メニスカスレンズＬ４の両面と、両凸正レンズＬ７の物体側面と、負メニスカスレンズＬ１１の像側面と、の合計６面に設けられている。
【０２１３】
次に、実施例１２に係るズームレンズについて説明する。図２３は、実施例１２に係るズームレンズの無限遠物点合焦時の光学構成を示す光軸に沿う断面図である。図２４は実施例１２に係るズームレンズの無限遠物点合焦時における収差図である。
【０２１４】
実施例１２のズームレンズは、図２３に示すように、物体側より順に、負屈折力の第１レンズ群Ｇ１と、正屈折力の第２レンズ群Ｇ２と、負屈折力の第３レンズ群Ｇ３と、からなる。
【０２１５】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０２１６】
第２レンズ群Ｇ２は、両凸正レンズＬ４と、両凹負レンズＬ５と、両凸正レンズＬ６と、からなる。ここで、両凹負レンズＬ５と両凸正レンズＬ６とが接合されている。
【０２１７】
第３レンズ群Ｇ３は、両凹負レンズＬ７からなる。
【０２１８】
また、開口絞りＳは、第２レンズ群Ｇ２中に配置されている。より具体的には、開口絞りＳは、両凸正レンズＬ４と両凹負レンズＬ５との間に配置されている。
【０２１９】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２２０】
また、被写体への合焦は第３レンズ群Ｇ３の移動によって行われる。無限遠物点から近距離物点への合焦時、両凹負レンズＬ７が像側へ移動する。
【０２２１】
非球面は、負メニスカスレンズＬ２の像側面と、両凸正レンズＬ４の両面と、両凸正レンズＬ６の像側面と、両凹負レンズＬ７の両面と、の合計６面に設けられている。
【０２２２】
次に、実施例１３に係るズームレンズについて説明する。図２５は、実施例１３に係るズームレンズの無限遠物点合焦時の光学構成を示す光軸に沿う断面図である。図２６は実施例１３に係るズームレンズの無限遠物点合焦時における収差図である。
【０２２３】
実施例１３のズームレンズは、図２５に示すように、物体側より順に、負屈折力の第１レンズ群Ｇ１と、正屈折力の第２レンズ群Ｇ２と、負屈折力の第３レンズ群Ｇ３と、からなる。
【０２２４】
第１レンズ群Ｇ１は、物体側に凸面を向けた負メニスカスレンズＬ１と、物体側に凸面を向けた正メニスカスレンズＬ２と、からなる。
【０２２５】
第２レンズ群Ｇ２は、物体側に凸面を向けた正メニスカスレンズＬ３と、物体側に凸面を向けた負メニスカスレンズＬ４と、両凸正レンズＬ５と、からなる。ここで、負メニスカスレンズＬ４と両凸正レンズＬ５とが接合されている。
【０２２６】
第３レンズ群Ｇ３は、物体側に凸面を向けた負メニスカスレンズＬ６からなる。
【０２２７】
また、開口絞りＳは、第２レンズ群Ｇ２中に配置されている。より具体的には、開口絞りＳは、正メニスカスレンズＬ３と負メニスカスレンズＬ４との間に配置されている。
【０２２８】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２２９】
また、被写体への合焦は第３レンズ群Ｇ３の移動によって行われる。無限遠物点から近距離物点への合焦時、負メニスカスレンズＬ６が像側へ移動する。
【０２３０】
非球面は、負メニスカスレンズＬ１の両面と、正メニスカスレンズＬ３の両面と、両凸正レンズＬ５の像側面と、負メニスカスレンズＬ６の両面と、の合計７面に設けられている。
【０２３１】
次に、実施例１４に係るズームレンズについて説明する。図２７は、実施例１４に係るズームレンズの無限遠物点合焦時の光学構成を示す光軸に沿う断面図である。図２８は実施例１４に係るズームレンズの無限遠物点合焦時における収差図である。
【０２３２】
実施例１４のズームレンズは、図２７に示すように、物体側より順に、負屈折力の第１レンズ群Ｇ１と、正屈折力の第２レンズ群Ｇ２と、負屈折力の第３レンズ群Ｇ３と、からなる。
【０２３３】
第１レンズ群Ｇ１は、物体側に凸面を向けた負メニスカスレンズＬ１と、両凹負レンズＬ２と、物体側に凸面を向けた正メニスカスレンズＬ３と、からなる。
【０２３４】
第２レンズ群Ｇ２は、両凸正レンズＬ４と、両凸正レンズＬ５と、両凹負レンズＬ６と、両凸正レンズＬ７と、像側に凸面を向けた負メニスカスレンズＬ８と、からなる。ここで、両凸正レンズＬ５と両凹負レンズＬ６とが接合されている。また、両凸正レンズＬ７と負メニスカスレンズＬ８とが接合されている。
【０２３５】
第３レンズ群Ｇ３は、像側に凸面を向けた負メニスカスレンズＬ９からなる。
【０２３６】
また、開口絞りＳは、第１レンズ群Ｇ１と第２レンズ群Ｇ２の間に配置されている。より具体的には、開口絞りＳは、両凸正レンズＬ４の物体側（正メニスカスレンズＬ３と両凸正レンズＬ４との間）に配置されている。
【０２３７】
変倍時、各レンズ群は移動する。広角端から望遠端への変倍時、第１レンズ群Ｇ１は像側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２３８】
また、被写体への合焦は第３レンズ群Ｇ３の移動によって行われる。無限遠物点から近距離物点への合焦時、負メニスカスレンズＬ９が像側へ移動する。
【０２３９】
非球面は、両凹負レンズＬ２の両面と、両凸正レンズＬ４の両面と、両凸正レンズＬ７の物体側面と、負メニスカスレンズＬ９の像側面と、の合計６面に設けられている。
【０２４０】
次に、実施例１５に係るズームレンズについて説明する。図２９は、実施例１５に係るズームレンズの無限遠物点合焦時の光学構成を示す光軸に沿う断面図である。図３０は実施例１５に係るズームレンズの無限遠物点合焦時における収差図である。
【０２４１】
実施例１５のズームレンズは、図２９に示すように、物体側より順に、負屈折力の第１レンズ群Ｇ１と、正屈折力の第２レンズ群Ｇ２と、負屈折力の第３レンズ群Ｇ３と、からなる。
【０２４２】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０２４３】
第２レンズ群Ｇ２は、物体側に凸面を向けた正メニスカスレンズＬ４と、物体側に凸面を向けた正メニスカスレンズＬ５と、物体側に凸面を向けた負メニスカスレンズＬ６と、両凸正レンズＬ７と、像側に凸面を向けた負メニスカスレンズＬ８と、からなる。ここで、正メニスカスレンズＬ５と負メニスカスレンズＬ６とが接合されている。また、両凸正レンズＬ７と負メニスカスレンズＬ８とが接合されている。
【０２４４】
第３レンズ群Ｇ３は、像側に凸面を向けた負メニスカスレンズＬ９からなる。
【０２４５】
また、開口絞りＳは、第１レンズ群Ｇ１と第２レンズ群Ｇ２の間に配置されている。より具体的には、開口絞りＳは、正メニスカスレンズＬ４の物体側（正メニスカスレンズＬ３と正メニスカスレンズＬ４との間）に配置されている。
【０２４６】
変倍時、各レンズ群は移動する。広角端から望遠端への変倍時、第１レンズ群Ｇ１は像側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２４７】
また、被写体への合焦は第３レンズ群Ｇ３の移動によって行われる。無限遠物点から近距離物点への合焦時、負メニスカスレンズＬ９が像側へ移動する。
【０２４８】
非球面は、両凹負レンズＬ２の両面と、正メニスカスレンズＬ４の両面と、両凸正レンズＬ７の物体側面と、負メニスカスレンズＬ９の像側面と、の合計６面に設けられている。
【０２４９】
次に、実施例１６に係るズームレンズについて説明する。図３１は、実施例１６に係るズームレンズの無限遠物点合焦時の光学構成を示す光軸に沿う断面図である。図３２は実施例１６に係るズームレンズの無限遠物点合焦時における収差図である。
【０２５０】
実施例１６のズームレンズは、図３１に示すように、物体側より順に、負屈折力の第１レンズ群Ｇ１と、正屈折力の第２レンズ群Ｇ２と、負屈折力の第３レンズ群Ｇ３と、からなる。
【０２５１】
第１レンズ群Ｇ１は、物体側に凸面を向けた負メニスカスレンズＬ１と、両凹負レンズＬ２と、物体側に凸面を向けた正メニスカスレンズＬ３と、からなる。
【０２５２】
第２レンズ群Ｇ２は、物体側に凸面を向けた正メニスカスレンズＬ４と、両凸正レンズＬ５と、像側に凸面を向けた負メニスカスレンズＬ６と、からなる。ここで、両凸正レンズＬ５と負メニスカスレンズＬ６とが接合されている。
【０２５３】
第３レンズ群Ｇ３は、像側に凸面を向けた負メニスカスレンズＬ７からなる。
【０２５４】
また、開口絞りＳは、第２レンズ群Ｇ２中に配置されている。より具体的には、開口絞りＳは、正メニスカスレンズＬ４と両凸正レンズＬ５との間に配置されている。
【０２５５】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２５６】
また、被写体への合焦は第３レンズ群Ｇ３の移動によって行われる。無限遠物点から近距離物点への合焦時、負メニスカスレンズＬ７が像側へ移動する。
【０２５７】
非球面は、両凹負レンズＬ２の両面と、正メニスカスレンズＬ４の両面と、両凸正レンズＬ７の物体側面と、負メニスカスレンズＬ７の両面と、の合計７面に設けられている。
【０２５８】
次に、実施例１７に係るズームレンズについて説明する。図３３は、実施例１７に係るズームレンズの無限遠物点合焦時の光学構成を示す光軸に沿う断面図である。図３４は実施例１７に係るズームレンズの無限遠物点合焦時における収差図である。
【０２５９】
実施例１７のズームレンズは、図３３に示すように、物体側より順に、負屈折力の第１レンズ群Ｇ１と、正屈折力の第２レンズ群Ｇ２と、負屈折力の第３レンズ群Ｇ３と、からなる。
【０２６０】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０２６１】
第２レンズ群Ｇ２は、両凸正レンズＬ４と、両凹負レンズＬ５と、両凸正レンズＬ６と、像側に凸面を向けた正メニスカスレンズＬ７と、からなる。ここで、両凹負レンズＬ５と両凸正レンズＬ６とが接合されている。
【０２６２】
第３レンズ群Ｇ３は、像側に凸面を向けた負メニスカスレンズＬ８からなる。
【０２６３】
また、開口絞りＳは、第２レンズ群Ｇ２中に配置されている。より具体的には、開口絞りＳは、両凸正レンズＬ４と両凹負レンズＬ５との間に配置されている。
【０２６４】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２６５】
また、被写体への合焦は第３レンズ群Ｇ３の移動によって行われる。無限遠物点から近距離物点への合焦時、負メニスカスレンズＬ８が像側へ移動する。
【０２６６】
非球面は、負メニスカスレンズＬ２の像側面と、両凸正レンズＬ４の両面と、両凸正レンズＬ６の像側面と、負メニスカスレンズＬ８の両面と、の合計６面に設けられている。
【０２６７】
次に、実施例１８に係るズームレンズについて説明する。図３５は、実施例１８に係るズームレンズの無限遠物点合焦時の光学構成を示す光軸に沿う断面図である。図３６は実施例１８に係るズームレンズの無限遠物点合焦時における収差図である。
【０２６８】
実施例１８のズームレンズは、図３５に示すように、物体側より順に、負屈折力の第１レンズ群Ｇ１と、正屈折力の第２レンズ群Ｇ２と、負屈折力の第３レンズ群Ｇ３と、からなる。
【０２６９】
第１レンズ群Ｇ１は、物体側に凸面を向けた負メニスカスレンズＬ１と、両凹負レンズＬ２と、物体側に凸面を向けた正メニスカスレンズＬ３と、からなる。
【０２７０】
第２レンズ群Ｇ２は、両凸正レンズＬ４と、両凸正レンズＬ５と、両凹負レンズＬ６と、像側に凸面を向けた正メニスカスレンズＬ７と、からなる。ここで、両凸正レンズＬ５と両凹負レンズＬ６とが接合されている。
【０２７１】
第３レンズ群Ｇ３は、像側に凸面を向けた負メニスカスレンズＬ８からなる。
【０２７２】
また、開口絞りＳは、第２レンズ群Ｇ２中に配置されている。より具体的には、開口絞りＳは、両凸正レンズＬ４と両凸正レンズＬ５との間に配置されている。
【０２７３】
変倍時、各レンズ群は移動する。広角端から望遠端への変倍時、第１レンズ群Ｇ１は像側に移動した後、物体側に移動する。第２レンズ群Ｇ２は物体側に移動する。第３レンズ群Ｇ３は物体側に移動する。開口絞りＳは、第２レンズ群Ｇ２と一体に物体側に移動する。このように、第１レンズ群Ｇ１については、変倍が広角端から始まったとき、広角端の位置からの移動方向は、像側方向になっている。
【０２７４】
また、被写体への合焦は第３レンズ群Ｇ３の移動によって行われる。無限遠物点から近距離物点への合焦時、負メニスカスレンズＬ８が像側へ移動する。
【０２７５】
非球面は、両凹負レンズＬ２の両面と、両凸正レンズＬ４の両面と、両凸正レンズＬ５の物体側面と、正メニスカスレンズＬ７の両面と、負メニスカスレンズＬ８の両面と、の合計９面に設けられている。
【０２７６】
実施例１〜８では、第３レンズ群は２枚以上のレンズで構成されている。一方、実施例９〜１８では、第３レンズ群は１枚のレンズで構成されている。
【０２７７】
また、広角端から望遠端への変倍時、各レンズ群の間隔の変化は以下のとおりである。
第１レンズ群と第２レンズ群との間隔は狭まる（実施例１〜１８）。
第２レンズ群と第３レンズ群との間隔は狭まる（実施例１、２、４、７、８、１３、１４、１６及び１８）。
第２レンズ群と第３レンズ群との間隔は広がった後に、狭まる（実施例３、９〜１２、１５及び１７）。
第２レンズ群と第３レンズ群との間隔は狭まった後に、広がる（実施例５及び６）。
第３レンズ群と像面との間隔は広がる（実施例１〜１８）。
【０２７８】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッベ数、＊印は非球面である。また、ズームデータにおいて、中間は中間焦点距離状態、焦点距離はズームレンズ全系の焦点距離、ＦＮＯ．はＦナンバー、ωは半画角、像高は最大像高、ＦＢはバックフォーカス、ｆ１、ｆ２…は各レンズ群の焦点距離である。なお、全長は、レンズ最前面からレンズ最終面までの距離にバックフォーカスを加えたものである。バックフォーカスは、レンズ最終面から近軸像面までの距離を空気換算して表したものである。なお、像高は、歪曲収差を電気的に補正しない場合の高さである。歪曲収差を電気的に補正することを前提とした場合の像高については後述する。
【０２７９】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０２８０】
数値実施例１
単位ｍｍ
面データ
面番号       r           d        nd        νd
物面        ∞           ∞
1       -551.041       0.80     1.80139    45.45
2         13.150       3.50
3         15.705       2.59     1.63493    23.90
4         33.110       可変
5*        11.433       3.74     1.74320    49.34
6*       -35.917       1.00
7（絞り）  ∞          1.00
8        -47.718       0.80     1.90366    31.32
9          8.733       4.00     1.49700    81.61
10        -11.341       可変
11*       -37.072       3.30     1.63493    23.90
12        -13.586       2.50
13*        -8.492       1.00     1.53071    55.69
14*        67.596       可変
15          ∞          3.00     1.51633    64.14
16          ∞          1.00
像面（撮像面）∞
非球面データ
第５面
k=0.000
A4=-5.74668e-05,A6=-2.85515e-07
第６面
k=0.225
A4=9.81038e-05,A6=-9.17744e-08
第１１面
k=0.000
A4=5.10472e-06,A6=1.06606e-06
第１３面
k=0.000
A4=6.39301e-06,A6=7.09436e-07
第１４面
k=0.000
A4=-3.88771e-05,A6=1.00042e-06,A8=-4.58923e-09
ズームデータ
ズーム比        2.87
広角端     中間     望遠端
焦点距離       14.79     24.93     42.52
ＦＮＯ．        3.50      4.60      5.50
画角２ω       81.45     48.00     29.11
像高           11.15     11.15     11.15
ＦＢ (in air)   6.25     13.37     28.15
全長 (in air)  51.42     47.54     54.75
d4          15.39      5.67      0.70
d10           5.55      4.28      1.67
d14           3.25     10.34     25.18
各群焦点距離
f1=-27.08     f2=15.80    f3=-27.61
【０２８１】
数値実施例２
単位ｍｍ
面データ
面番号       r           d        nd        νd
物面        ∞           ∞
1         24.241       0.80     1.80139    45.45
2*        10.305       4.67
3         54.715       0.80     1.72916    54.68
4         12.746       4.73
5         14.608       2.00     1.84666    23.78
6         21.299       可変
7*        11.088       2.96     1.74320    49.34
8*       -24.868       1.00
9（絞り）  ∞          1.00
10        -55.769       0.80     1.90366    31.32
11          8.696       3.26     1.49700    81.61
12         -8.898       可変
13        -21.306       2.30     1.63493    23.90
14        -18.159       3.05
15*        -6.991       1.00     1.53071    55.69
16*       -16.979       可変
17          ∞          3.00     1.51633    64.14
18          ∞          1.00
像面（撮像面）∞
非球面データ
第２面
k=0.000
A4=-3.94816e-06,A6=-3.59209e-08
第７面
k=0.000
A4=-1.48954e-04,A6=-1.15798e-06
第８面
k=0.225
A4=1.19934e-04,A6=-7.57507e-07
第１５面
k=0.000
A4=7.84266e-05,A6=1.28333e-06
第１６面
k=0.000
A4=1.40842e-04
ズームデータ
ズーム比        2.00
広角端     中間     望遠端
焦点距離        9.08     13.15     18.16
ＦＮＯ．        3.60      4.80      5.80
画角２ω      112.14     82.40     63.17
像高           11.15     11.15     11.15
ＦＢ (in air)   4.32      7.75     12.70
全長 (in air)  47.27     44.59     45.50
d6           9.97      4.07      0.70
d12           4.61      4.42      3.74
d16           1.34      4.77      9.73
各群焦点距離
f1=-15.08     f2=12.19    f3=-26.63
【０２８２】
数値実施例３
単位ｍｍ
面データ
面番号       r           d        nd        νd
物面        ∞           ∞
1         75.995       0.90     1.83481    42.71
2         12.696       4.10
3        -42.060       0.80     1.72916    54.68
4        -95.241       0.30
5         20.768       2.18     1.84666    23.78
6         47.496       可変
7*        10.820       3.46     1.74320    49.34
8*       -57.210       1.00
9（絞り）  ∞          1.00
10       -139.774       0.80     1.90366    31.32
11          7.933       3.72     1.49700    81.61
12        -13.585       可変
13        -18.820       2.34     1.63493    23.90
14        -10.810       2.50
15*        -8.315       1.00     1.53071    55.69
16*      -147.917       可変
17           ∞         4.00     1.51633    64.14
18           ∞         2.10
像面（撮像面）∞
非球面データ
第７面
k=0.000
A4=-5.01016e-05,A6=-6.21902e-08
第８面
k=0.225
A4=8.77419e-05,A6=7.86763e-08
第１５面
k=0.000
A4=-1.34322e-05,A6=2.52661e-07
第１６面
k=0.000
A4=2.46540e-06
ズームデータ
ズーム比        2.86
広角端     中間     望遠端
焦点距離       14.53     24.63     41.56
ＦＮＯ．        3.67      4.29      5.74
画角２ω       82.38     48.48     29.79
像高           11.15     11.15     11.15
ｆｂ (in air)   8.48     13.99     29.27
全長 (in air)  56.18     49.50     56.58
d6          18.64      6.09      0.70
d12           4.97      5.32      2.51
d16           3.74      9.25     24.53
各群焦点距離
f1=-27.00     f2=16.19    f3=-32.22
【０２８３】
数値実施例４
単位ｍｍ
面データ
面番号       r           d        nd        νd
物面        ∞           ∞
1         91.218       0.90     1.83481    42.71
2         12.968       3.94
3        -46.843       0.80     1.74400    44.78
4       -175.156       0.30
5         21.108       2.23     1.84666    23.78
6         52.526       可変
7*        11.043       3.28     1.74320    49.34
8*       -34.008       1.00
9（絞り）  ∞          1.00
10         45.295       0.80     1.90366    31.32
11          6.269       2.67     1.49700    81.61
12         23.223       0.70
13*       -40.000       1.37     1.55332    71.68
14*       -10.491       可変
15*       -18.748       2.28     1.63493    23.90
16        -11.691       2.43
17         -7.378       1.00     1.53071    55.69
18*       -36.701       可変
19          ∞          4.00     1.51633    64.14
20          ∞          2.10
像面（撮像面）∞
非球面データ
第７面
k=-0.355
A4=-7.41084e-05,A6=-1.24732e-07
第８面
k=0.000
A4=9.61924e-05
第１３面
k=0.000
A4=1.66347e-04,A6=1.70320e-05
第１４面
k=0.000
A4=6.32014e-05,A6=1.17813e-05
第１５面
k=0.000
A4=7.21867e-05,A6=1.64539e-06
第１８面
k=0.000
A4=-4.12494e-05,A6=1.00733e-07
ズームデータ
ズーム比        2.89
広角端     中間     望遠端
焦点距離       14.27     24.24     41.18
ＦＮＯ．        3.55      4.61      5.96
画角２ω       83.40     49.94     30.20
像高           11.15     11.15     11.15
ｆｂ (in air)   6.96     14.10     28.35
全長 (in air)  53.12     48.86     55.59
d6           16.74      6.21      0.70
d14           4.74      3.87      1.85
d18           2.21      9.35     23.60
各群焦点距離
f1=-25.74     f2=15.54    f3=-29.84
【０２８４】
数値実施例５
単位ｍｍ
面データ
面番号       r           d        nd        νd
物面        ∞           ∞
1         35.385       0.90     1.83481    42.71
2         12.341       5.74
3        -25.770       0.80     1.81600    46.62
4        -51.770       0.30
5         23.925       1.68     1.92286    18.90
6         40.000       可変
7*        12.836       3.06     1.69350    53.21
8*       -50.586       1.00
9（絞り）  ∞          1.00
10         14.521       1.71     1.56732    42.82
11        -24.798       1.26     1.84666    23.78
12         15.438       2.36
13         41.575       1.00     1.88300    40.76
14          8.780       2.32     1.57501    41.50
15        -14.868       可変
16*       -25.316       1.23     1.63493    23.90
17        -15.397       2.00
18         -8.948       1.00     1.53071    55.69
19*      3523.421       可変
20          ∞          4.00     1.51633    64.14
21          ∞          2.10
像面（撮像面）∞
非球面データ
第７面
k=-1.197
A4=3.41103e-05,A6=1.74365e-07
第８面
k=0.000
A4=4.42108e-05
第１６面
k=0.000
A4=-1.10160e-04,A6=-7.45198e-07
第１９面
k=0.000
A4=-1.84016e-04,A6=1.79808e-07
ズームデータ
ズーム比        2.89
広角端     中間     望遠端
焦点距離       14.28     24.27     41.24
ＦＮＯ．        3.83      4.99      6.29
画角２ω       83.35     50.01     30.07
像高           11.15     11.15     11.15
ｆｂ (in air)   6.75     13.07     23.20
全長 (in air)  54.63     51.22     55.64
d6          16.17      6.58      0.70
d15           4.34      4.19      4.37
d19           1.99      8.30     18.39
各群焦点距離
f1=-23.48     f2=15.48    f3=-24.01
【０２８５】
数値実施例６
単位ｍｍ
面データ
面番号       r           d        nd        νd
物面        ∞           ∞
1         36.397       0.90     1.83481    42.71
2         11.944       5.12
3        -33.318       0.80     1.81600    46.62
4       -104.401       0.30
5         22.063       1.84     1.92286    18.90
6         40.000       可変
7*        11.402       3.12     1.69350    53.21
8*       -71.319       1.00
9（絞り）  ∞          1.00
10         16.989       1.61     1.56732    42.82
11        -25.938       1.00     1.84666    23.78
12         11.990       0.72
13         27.742       1.00     1.88300    40.76
14         10.876       2.04     1.57501    41.50
15        -14.549       可変
16*       -28.917       2.32     1.63493    23.90
17        -15.000       2.00
18         -8.044       0.80     1.53071    55.69
19        -20.001       0.85
20        -13.068       1.00     1.53071    55.69
21*       -29.347       可変
22          ∞          4.00     1.51633    64.14
23          ∞          2.10
像面（撮像面）∞
非球面データ
第７面
k=-1.171
A4=3.90034e-05,A6=2.47055e-07
第８面
k=0.000
A4=5.76059e-05
第１６面
k=0.000
A4=5.40447e-05,A6=-2.66457e-07
第２１面
k=0.000
A4=-2.61663e-05,A6=-2.68337e-07
ズームデータ
ズーム比       2.89
広角端     中間     望遠端
焦点距離       14.28     24.26     41.23
ＦＮＯ．        3.78      4.91      6.20
画角２ω       83.35     50.09     30.14
像高           11.15     11.15     11.15
ｆｂ (in air)   6.61     12.95     23.39
全長 (in air)  54.54     51.00     55.63
d6          16.39      6.59      0.70
d15           4.11      4.03      4.12
d21           1.85      8.18     18.60
各群焦点距離
f1=-23.45     f2=15.03    f3=-25.60
【０２８６】
数値実施例７
単位ｍｍ
面データ
面番号       r           d        nd        νd
物面        ∞           ∞
1         40.000       0.90     1.83481    42.71
2         12.636       4.54
3        -29.146       0.80     1.91082    35.25
4        -64.993       0.30
5         23.143       1.93     1.92286    18.90
6         45.612       可変
7*        10.800       3.31     1.58313    59.38
8*       -35.588       1.00
9（絞り）  ∞          1.00
10         14.449       1.59     1.55332    71.68
11        -34.089       1.01     1.90366    31.32
12         11.691       1.50
13        -30.368       1.44     1.58313    59.38
14*        -9.367       可変
15*       -18.814       2.00     1.63493    23.90
16        -12.000       2.50
17         -9.000       1.00     1.53071    55.69
18*      -542.769       可変
19          ∞          4.00     1.51633    64.14
20          ∞          2.10
像面（撮像面）∞
非球面データ
第７面
k=-2.544
A4=1.76956e-04,A6=-3.66344e-07
第８面
k=0.000
A4=1.25692e-04
第１４面
k=0.000
A4=1.00086e-04,A6=1.40362e-07
第１５面
k=0.000
A4=-1.72491e-05,A6=-1.12951e-06
第１８面
k=0.000
A4=-1.14712e-04,A6=1.20103e-07
ズームデータ
ズーム比        2.89
広角端     中間     望遠端
焦点距離       14.28     24.26     41.23
ＦＮＯ．        3.62      4.75      6.05
画角２ω       83.36     50.18     30.15
像高           11.15     11.15     11.15
ｆｂ (in air)   6.94     14.65     27.37
全長 (in air)  52.69     49.73     55.64
d6          15.85      6.40      0.70
d14           5.08      3.86      2.75
d18           2.18      9.88     22.56
各群焦点距離
f1=-24.74     f2=15.34    f3=-27.84
【０２８７】
数値実施例８
単位ｍｍ
面データ
面番号       r           d        nd        νd
物面        ∞           ∞
1        117.050       0.90     1.88300    40.76
2         12.212       2.40
3*        16.695       0.90     1.80610    40.92
4*        12.542       0.30
5         13.485       3.37     1.84666    23.78
6         29.029       可変
7*        10.343       3.57     1.74320    49.34
8*       -32.075       1.00
9（絞り）  ∞          1.00
10        -23.131       0.75     1.90366    31.32
11          9.543       3.44     1.49700    81.61
12*        -8.787       可変
13        -18.853       4.51     1.63493    23.90
14*       -10.000       2.50
15*        -7.428       1.00     1.53071    55.69
16*      -779.506       可変
17          ∞          2.60     1.51633    64.14
18          ∞          1.00
像面（撮像面）∞
非球面データ
第３面
k=0.000
A4=-3.06144e-04,A6=2.45708e-06
第４面
k=0.000
A4=-3.38458e-04,A6=2.53398e-06
第７面
k=0.000
A4=-4.80378e-05,A6=-5.64884e-07
第８面
k=0.225
A4=1.43751e-04,A6=-2.86304e-07
第１２面
k=0.000
A4=1.03622e-04,A6=9.15213e-07
第１４面
k=0.000
A4=1.34838e-04,A6=4.46037e-08
第１５面
k=0.000
A4=2.61427e-04,A6=2.38873e-07
第１６面
k=0.000
A4=-8.80804e-05
ズームデータ
ズーム比        3.82
広角端     中間     望遠端
焦点距離       12.85     26.16     49.07
ＦＮＯ．        3.63      5.00      6.50
画角２ω       88.94     46.83     25.34
像高           11.00     11.00     11.00
ｆｂ (in air)   4.49     16.97     35.88
全長 (in air)  51.47     50.95     63.11
d6          15.59      5.74      0.70
d12           5.74      2.59      0.88
d16           1.77     14.26     33.17
各群焦点距離
f1=-22.74     f2=14.39    f3=-28.33
【０２８８】
数値実施例９
単位ｍｍ
面データ
面番号       r           d        nd        νd
物面        ∞           ∞
1         65.557       0.90     1.94595    17.98
2         16.718       5.06
3*       -88.240       0.90     1.80610    40.92
4*        23.101       0.65
5         19.838       4.28     1.94595    17.98
6        418.035       可変
7*         9.538       3.67     1.49700    81.61
8*      -309.161       0.50
9        140.536       1.80     1.49700    81.61
10        -22.276       0.90     2.00069    25.46
11        -36.252       1.00
12（絞り）  ∞          2.88
13*      -637.823       3.85     1.58313    59.38
14         -5.509       0.92     1.80610    40.92
15        -21.738       可変
16         -8.200       1.82     1.49700    81.61
17*       -29.073       可変
18          ∞          2.60     1.51633    64.14
19          ∞          1.00
像面（撮像面）∞
非球面データ
第３面
k=0.000
A4=-3.65510e-06,A6=1.89251e-07,A8=-1.82841e-10
第４面
k=0.000
A4=1.46909e-05,A6=2.29144e-07
第７面
k=0.000
A4=-3.79449e-05,A6=-7.96296e-08
第８面
k=0.000
A4=8.31258e-05,A6=1.97382e-07
第１３面
k=0.000
A4=6.79418e-05,A6=4.59739e-06,A8=-2.48651e-07,A10=1.16932e-08
第１７面
k=0.000
A4=-3.91665e-06,A6=1.16045e-07
ズームデータ
ズーム比        2.88
広角端     中間     望遠端
焦点距離       14.19     24.14     40.84
ＦＮＯ．        3.63      4.61      5.77
画角２ω       83.20     49.19     29.87
像高           11.00     11.00     11.00
ＦＢ (in air)   4.45      9.45     19.67
全長 (in air)  64.61     57.16     60.26
d6          21.85      8.76      2.00
d15           9.18      9.82      9.46
d17           1.74      6.70     16.99
各群焦点距離
f1=-26.91     f2=17.46    f3=-23.67
【０２８９】
数値実施例１０
単位ｍｍ
面データ
面番号       r           d        nd        νd
物面        ∞           ∞
1         88.057       0.90     1.94595    17.98
2         18.425       5.03
3*       -91.203       0.90     1.80610    40.92
4*        23.802       0.73
5         21.263       4.36     1.94595    17.98
6        453.435       可変
7*         9.075       4.00     1.49700    81.61
8*        30.835       0.50
9         17.493       2.81     1.49700    81.61
10        -39.971       1.50     2.00069    25.46
11       -110.808       2.21
12（絞り）  ∞          1.11
13*       202.050       2.57     1.58313    59.38
14         -5.693       0.90     1.80610    40.92
15        -28.174       可変
16         -8.200       0.90     1.49700    81.61
17*       -27.873       可変
18          ∞          2.60     1.51633    64.14
19          ∞          1.00
像面（撮像面）∞
非球面データ
第３面
k=0.000
A4=-1.59276e-05,A6=1.99652e-07,A8=-8.25523e-11
第４面
k=0.000
A4=4.04778e-07,A6=2.43332e-07
第７面
k=0.000
A4=-2.55059e-05,A6=8.52278e-08
第８面
k=0.000
A4=9.22418e-05,A6=8.19004e-07
第１３面
k=0.000
A4=-1.18119e-05,A6=2.82565e-06,A8=-2.01219e-07,A10=9.46323e-09
第１７面
k=0.000
A4=-3.66290e-06,A6=2.52548e-07
ズームデータ
ズーム比        2.87
広角端     中間     望遠端
焦点距離       14.23     24.17     40.81
ＦＮＯ．        3.63      4.60      5.78
画角２ω       82.99     49.05     29.86
像高           11.00     11.00     11.00
ＦＢ (in air)   4.74      9.76     19.71
全長 (in air)  62.64     56.03     59.23
d6          20.56      8.40      2.00
d15           8.92      9.46      9.11
d17           2.00      7.00     17.06
各群焦点距離
f1=-26.46     f2=17.07    f3=-23.74
【０２９０】
数値実施例１１
単位ｍｍ
面データ
面番号       r           d        nd        νd
物面        ∞           ∞
1         46.800       0.50     1.94595    17.98
2         15.484       6.59
3*       -70.372       0.50     1.80610    40.92
4*        21.155       0.67
5         19.609       4.41     1.94595    17.98
6        421.341       可変
7*         8.308       4.00     1.49700    81.61
8*        35.848       0.50
9         25.929       2.12     1.49700    81.61
10        -33.929       0.50     2.00069    25.46
11        -83.621       1.00
12（絞り）  ∞          1.32
13*       258.544       3.92     1.58313    59.38
14         -5.220       0.50     1.80610    40.92
15        -23.925       可変
16         -8.200       0.50     1.49700    81.61
17*       -24.601       可変
18          ∞          2.60     1.51633    64.14
19          ∞          1.00
像面（撮像面）∞
非球面データ
第３面
k=0.000
A4=-8.08236e-06,A6=2.03954e-07,A8=-1.46805e-10
第４面
k=0.000
A4=5.21886e-06,A6=2.45894e-07
第７面
k=0.000
A4=-3.82772e-05,A6=1.95822e-08
第８面
k=0.000
A4=1.05719e-04,A6=1.08481e-06
第１３面
k=0.000
A4=5.43769e-06,A6=4.60911e-06,A8=-2.76062e-07,A10=1.31726e-08
第１７面
k=0.000
A4=5.82550e-06,A6=2.39336e-07
ズームデータ
ズーム比        3.80
広角端     中間     望遠端
焦点距離       12.00     23.34     45.60
ＦＮＯ．        3.63      5.00      6.50
画角２ω       95.02     50.61     26.94
像高           11.00     11.00     11.00
ＦＢ (in air)   4.09     10.89     26.27
全長 (in air)  65.11     57.44     65.11
d6          23.62      8.88      2.00
d15          10.37     10.64      9.81
d17           1.37      8.17     23.56
各群焦点距離
f1=-23.85     f2=17.04    f3=-25.00
【０２９１】
数値実施例１２
単位ｍｍ
面データ
面番号       r           d        nd        νd
物面        ∞           ∞
1         27.094       0.90     1.83481    42.71
2         11.068       6.31
3         99.417       0.80     1.69350    53.21
4*        26.511       0.30
5         14.608       2.06     1.84666    23.78
6         23.879       可変
7*        16.593       2.35     1.74320    49.34
8*       -87.839       1.00
9（絞り）  ∞          1.00
10       -145.110       0.50     1.90366    31.32
11         14.609       6.00     1.49700    81.61
12*       -10.567       可変
13*       -18.965       1.00     1.49700    81.61
14*        76.293       可変
15          ∞          2.60     1.51633    64.14
16          ∞          1.00
像面（撮像面）∞
非球面データ
第４面
k=0.000
A4=8.47912e-06,A6=-1.12132e-07
第７面
k=0.000
A4=-3.30283e-05,A6=-9.72677e-07
第８面
k=0.225
A4=8.11974e-05,A6=-3.81815e-07
第１２面
k=0.000
A4=2.93225e-05,A6=3.85869e-08
第１３面
k=0.000
A4=-2.03079e-04,A6=-1.12783e-06
第１４面
k=0.000
A4=-1.27285e-04
ズームデータ
ズーム比        2.57
広角端     中間     望遠端
焦点距離       14.07     16.45     36.20
ＦＮＯ．        3.63      4.60      5.78
画角２ω       83.05     70.80     33.35
像高           11.00     11.00     11.00
ｆｂ (in air)   4.89      5.27     22.94
全長 (in air)  58.61     54.94     58.24
d6          16.06     11.04      0.70
d12          15.45     16.41     12.39
d14           2.17      2.55     20.23
各群焦点距離
f1=-25.90     f2=17.04    f3=-30.46
【０２９２】
数値実施例１３
単位ｍｍ
面データ
面番号       r           d        nd        νd
物面        ∞           ∞
1*       611.551       1.00     1.76802    49.24
2*        13.100       6.59
3         17.000       2.00     2.00069    25.46
4         23.343       可変
5*        15.056       5.08     1.55332    71.68
6*       219.586       0.92
7（絞り）  ∞          0.70
8         24.013       0.80     1.90366    31.32
9         10.356       4.96     1.59201    67.02
10*       -32.348       可変
11*       139.170       3.07     1.61881    63.85
12*        19.706       可変
13          ∞          3.50     1.51633    64.14
14          ∞          2.00
像面（撮像面）∞
非球面データ
第１面
k=0.000
A4=3.16538e-06
第２面
k=0.000
A4=-1.23207e-05,A6=1.18638e-07,A8=-1.20000e-09
第５面
k=0.000
A4=-5.96405e-05,A6=-3.71724e-07
第６面
k=0.000
A4=-4.07130e-06,A6=-1.06665e-07,A8=-3.99991e-09
第１０面
k=0.000
A4=-1.86001e-05
第１１面
k=-50.000
A4=-4.34806e-04,A6=-4.86730e-07,A8=7.59670e-09
第１２面
k=0.000
A4=-3.51470e-04,A6=1.30497e-06
ズームデータ
ズーム比        2.50
広角端     中間     望遠端
焦点距離       14.50     23.03     36.25
ＦＮＯ．        3.90      4.80      6.20
画角２ω       83.81     52.08     33.90
像高           11.15     11.15     11.15
ＦＢ (in air)   6.31     13.03     25.04
全長 (in air)  63.75     57.29     60.15
d4          19.34      7.50      0.78
d10          12.97     11.64      9.20
d12           2.00      8.72     20.73
各群焦点距離
f1=-29.17     f2=18.60    f3=-37.47
【０２９３】
数値実施例１４
単位ｍｍ
面データ
面番号       r           d        nd        νd
物面        ∞           ∞
1         23.362       0.51     1.94595    17.98
2         11.523       6.93
3*      -311.410       0.50     1.80610    40.92
4*        14.616       2.63
5         20.325       4.00     1.94595    17.98
6        229.857       可変
7（絞り）  ∞          1.20
8*         8.100       2.33     1.49700    81.61
9*      -783.952       3.82
10         26.179       1.95     1.49700    81.61
11        -20.083       0.50     2.00069    25.46
12        206.331       1.00
13*        43.679       4.31     1.58313    59.38
14         -5.929       0.50     1.80610    40.92
15        -17.567       可変
16         -8.200       0.50     1.49700    81.61
17*       -32.744       可変
18          ∞          2.60     1.51633    64.14
19          ∞          1.00
像面（撮像面）∞
非球面データ
第３面
k=0.000
A4=6.85747e-06,A6=-1.02676e-07,A8=5.72335e-10
第４面
k=0.000
A4=-2.74806e-05,A6=-2.27684e-07
第８面
k=0.000
A4=-7.82370e-05,A6=-3.93359e-07
第９面
k=0.000
A4=5.84011e-05,A6=5.78357e-07
第１３面
k=0.000
A4=-8.31381e-05,A6=-1.97851e-06,A8=1.54830e-08,A10=-2.37420e-09
第１７面
k=0.000
A4=1.62502e-04,A6=-6.60527e-07
ズームデータ
ズーム比        1.92
広角端     中間     望遠端
焦点距離        9.60     13.58     18.43
ＦＮＯ．        3.63      4.60      5.78
画角２ω      106.78     80.48     62.06
像高           11.00     11.00     11.00
ＦＢ (in air)   7.71     10.88     15.32
全長 (in air)  64.44     57.66     55.86
d6          22.18     12.33      6.53
d15           3.88      3.77      3.34
d17           5.00      8.17     12.61
各群焦点距離
f1=-20.88     f2=15.09    f3=-22.16
【０２９４】
数値実施例１５
単位ｍｍ
面データ
面番号       r           d        nd        νd
物面        ∞           ∞
1         23.611       0.50     1.94595    17.98
2         11.574       4.83
3*       189.552       0.50     1.80610    40.92
4*        10.901       1.82
5         14.723       4.00     1.94595    17.98
6         71.447       可変
7（絞り）  ∞          1.20
8*         7.944       2.35     1.49700    81.61
9*       117.820       2.18
10         12.682       1.80     1.49700    81.61
11         55.197       0.50     2.00069    25.46
12         13.136       1.00
13*        24.004       3.14     1.58313    59.38
14         -7.794       0.50     1.80610    40.92
15        -14.875       可変
16         -8.200       0.50     1.49700    81.61
17*       -28.497       可変
18          ∞          2.60     1.51633    64.14
19          ∞          1.00
像面（撮像面）∞
非球面データ
第３面
k=0.000
A4=-1.44621e-06,A6=-1.89593e-07,A8=1.96871e-09
第４面
k=0.000
A4=-4.39405e-05,A6=-6.05933e-07
第８面
k=0.000
A4=-5.08335e-05,A6=4.14805e-07
第９面
k=0.000
A4=1.45376e-04,A6=8.86360e-07
第１３面
k=0.000
A4=-1.78063e-04,A6=-6.27491e-06,A8=1.47009e-07,A10=-1.15453e-08
第１７面
k=0.000
A4=1.35080e-04,A6=-1.07155e-06
ズームデータ
ズーム比        1.92
広角端     中間     望遠端
焦点距離       10.40     14.41     19.97
ＦＮＯ．        3.63      4.60      5.78
画角２ω      102.56     77.39     58.14
像高           11.00     11.00     11.00
ＦＢ (in air)   7.71     10.69     15.74
全長 (in air)  54.61     50.40     50.25
d6          15.97      8.78      4.11
d15           6.10      6.11      5.57
d17           5.00      7.98     13.02
各群焦点距離
f1=-19.02     f2=13.86    f3=-23.36
【０２９５】
数値実施例１６
単位ｍｍ
面データ
面番号       r           d        nd        νd
物面        ∞           ∞
1         19.320       0.90     1.83481    42.71
2         10.027       5.48
3*      -107.518       0.80     1.69350    53.21
4*        49.414       0.30
5         12.995       1.93     1.84666    23.78
6         18.050       可変
7*        16.313       2.00     1.74320    49.34
8*        40.933       1.00
9（絞り）  ∞          1.00
10*        22.448       4.00     1.49700    81.61
11        -11.000       1.50     1.92286    20.88
12        -16.548       可変
13*        -8.097       1.00     1.49700    81.61
14*       -14.648       可変
15          ∞          2.60     1.51633    64.14
16          ∞          1.00
像面（撮像面）∞
非球面データ
第３面
k=0.000
A4=-9.63140e-06,A6=4.98120e-07
第４面
k=0.000
A4=2.97924e-06,A6=6.40719e-07
第７面
k=0.000
A4=-1.27682e-04,A6=-9.87292e-07
第８面
k=0.225
A4=-1.89591e-04,A6=-3.23392e-07
第１０面
k=0.000
A4=-1.44264e-04,A6=3.40410e-07
第１３面
k=0.000
A4=-6.86953e-05,A6=-6.91313e-07
第１４面
k=0.000
A4=-3.38899e-05
ズームデータ
ズーム比        2.88
広角端     中間     望遠端
焦点距離       13.73     21.25     39.54
ＦＮＯ．        3.63      4.60      5.78
画角２ω       84.78     55.70     30.93
像高           11.00     11.00     11.00
ｆｂ (in air)   4.87     10.62     25.12
全長 (in air)  58.61     53.86     58.61
d6          18.33      8.70      0.70
d12          15.50     14.64     12.89
d14           2.16      7.90     22.40
各群焦点距離
f1=-25.21     f2=16.59    f3=-38.37
【０２９６】
数値実施例１７
単位ｍｍ
面データ
面番号       r           d        nd        νd
物面        ∞           ∞
1         49.691       0.90     1.83481    42.71
2         12.007       3.97
3        103.685       0.80     1.69350    53.21
4*        30.989       0.30
5         16.118       2.20     1.84666    23.78
6         33.781       可変
7*        10.571       3.14     1.74320    49.34
8*       -50.170       1.00
9（絞り）  ∞          1.00
10        -46.647       0.50     1.90366    31.32
11          7.609       5.55     1.49700    81.61
12*       -14.050       1.70
13        -21.889       1.62     1.94595    17.98
14        -17.211       可変
15*       -13.283       1.00     1.49700    81.61
16*      -537.461       可変
17          ∞          2.60     1.51633    64.14
18          ∞          1.00
像面（撮像面）∞
非球面データ
第４面
k=0.000
A4=2.85380e-06,A6=-2.56958e-08
第７面
k=0.000
A4=-4.06783e-05,A6=-1.84936e-07
第８面
k=0.225
A4=7.80403e-05,A6=-1.97323e-07
第１２面
k=0.000
A4=7.34005e-06,A6=8.31748e-08
第１５面
k=0.000
A4=8.08470e-06,A6=-3.91991e-09
第１６面
k=0.000
A4=9.05557e-06
ズームデータ
ズーム比        2.88
広角端     中間     望遠端
焦点距離       14.55     24.74     41.93
ＦＮＯ．        3.63      4.60      5.78
画角２ω       80.85     47.65     29.06
像高           11.00     11.00     11.00
ｆｂ (in air)   4.78      8.26     22.22
全長 (in air)  58.61     50.72     57.11
d6          18.78      5.30      0.70
d14          11.37     13.47     10.50
d16           2.07      5.55     19.51
各群焦点距離
f1=-26.65     f2=17.56    f3=-27.42
【０２９７】
数値実施例１８
単位ｍｍ
面データ
面番号       r           d        nd        νd
物面        ∞           ∞
1         21.491       0.95     1.72903    54.04
2         12.000       7.20
3*       -28.891       1.10     1.55332    71.68
4*       221.973       1.51
5         34.919       1.50     1.94595    17.98
6         53.053       可変
7*         9.583       3.00     1.49700    81.61
8*       -26.491       0.70
9（絞り）  ∞          0.70
10*        46.302       3.00     1.49700    81.54
11        -10.003       0.80     1.85049    40.21
12         20.000       1.99
13*       -30.590       2.47     1.77377    47.17
14*        -9.892       可変
15*       -11.344       1.00     1.49700    81.61
16*       -50.473       可変
17          ∞          2.60     1.51633    64.14
18          ∞          1.00
像面（撮像面）∞
非球面データ
第３面
k=0.000
A4=-7.85248e-05,A6=3.71782e-07
第４面
k=0.000
A4=-9.61224e-05,A6=4.44893e-07
第７面
k=0.000
A4=-7.20814e-07,A6=1.26779e-06
第８面
k=0.000
A4=1.60731e-04,A6=-1.32113e-06
第１０面
k=0.000
A4=-1.01583e-04,A6=-6.78458e-06
第１３面
k=0.000
A4=-1.14019e-04,A6=4.12049e-06,A8=-5.09907e-08
第１４面
k=0.000
A4=-4.00338e-05,A6=1.82526e-06,A8=-1.56473e-08
第１５面
k=0.000
A4=1.94949e-04
第１６面
k=0.000
A4=1.25752e-04,A6=-1.39402e-06,A8=1.10294e-08
ズームデータ
ズーム比        2.80
広角端     中間     望遠端
焦点距離       14.20     23.76     39.76
ＦＮＯ．        3.90      4.80      6.50
画角２ω       85.64     51.76     31.40
像高           11.15     11.15     11.15
ＦＢ (in air)   5.13     13.41     24.79
全長 (in air)  62.55     59.10     63.11
d6          18.37      8.34      1.40
d14          13.13     11.43     11.00
d16           2.42     10.69     22.07
各群焦点距離
f1=-25.36     f2=17.71    f3=-29.69
【０２９８】
実施例１から１８までのズームレンズでは、広角端において樽型の歪曲収差が発生する。一方、中間焦点距離状態付近や望遠端では、歪曲収差の発生が抑えられている。すなわち、広角端での最大像高ＩＨｗは、中間焦点距離状態の最大像高ＩＨｓや望遠端での最大像高ＩＨｔよりも小さくなるようにしている。
【０２９９】
実施例１から１８までのズームレンズでは、小型化を達成するために、広角端においては樽型の歪曲収差が発生する。そこで、これらのズームレンズを用いた撮像装置では、広角側で発生する樽型の歪曲収差を電気的に補正した後に、画像の記録や表示を行ってもよい。その場合、有効撮像領域で取得した広角端の歪曲収差を含んだ画像信号は、画像処理（画像変換）により、歪みを低減させた矩形の画像情報が生成される。
【０３００】
また、有効撮像領域で取得される画像データは、無限遠物点合焦時に次の条件式（Ａ）を満足する。
０．７＜ｙ07／（ｆｗ×ｔａｎω07w）＜０．９７      （Ａ）
ここで、
ｙ07＝０．７×ｙ10として表され、
ｙ10は電子撮像素子の有効撮像領域内（撮像可能な面内）で中心から最も遠い点までの距離（最大像高）、
ω07wは広角端における撮像面上の中心からｙ07の位置に結ぶ像点に対応する物点方向の光軸に対する角度、
ｆｗは広角端における結像光学系の全系の焦点距離、
である。
【０３０１】
なお、歪曲収差の電気的な補正を前提とした場合には、広角端の最大像高は、電気的な補正を行わない中間焦点距離状態付近や望遠端での最大像高よりも小さく設定できる。
【０３０２】
実施例１から１８までのズームレンズにおいて、歪曲収差の電気的な補正を前提とした場合の像高、焦点距離、Ｆナンバー及び全画角のデータを以下に示す。以下のデータにおける数値は、左側から順に、広角端、中間焦点距離状態、望遠端における数値である。
【０３０３】
実施例１におけるデータを以下に示す。
広角端      中間      望遠端
焦点距離    14.79       24.93     42.52
ＦＮＯ．     3.50        4.60      5.50
画角２ω    76.41       48.00     29.11
像高        10.36       11.15     11.15
【０３０４】
実施例２におけるデータを以下に示す。
広角端      中間      望遠端
焦点距離     9.08       13.15     18.16
ＦＮＯ．     3.60        4.80      5.80
画角２ω   105.34       82.40     63.17
像高        10.10       11.15     11.15
【０３０５】
実施例３におけるデータを以下に示す。
広角端      中間      望遠端
焦点距離    14.53       24.63     41.56
ＦＮＯ．     3.67        4.29      5.74
画角２ω    77.23       48.48     29.79
像高        10.36       11.15     11.15
【０３０６】
実施例４におけるデータを以下に示す。
広角端      中間      望遠端
焦点距離    14.27       24.24     41.18
ＦＮＯ．     3.55        4.61      5.96
画角２ω    78.20       49.94     30.20
像高        10.36       11.15     11.15
【０３０７】
実施例５におけるデータを以下に示す。
広角端      中間      望遠端
焦点距離    14.28       24.27     41.24
ＦＮＯ．     3.83        4.99      6.29
画角２ω    78.13       50.01     30.07
像高        10.35       11.15     11.15
【０３０８】
実施例６におけるデータを以下に示す。
広角端      中間      望遠端
焦点距離    14.28       24.26     41.23
ＦＮＯ．     3.78        4.91      6.20
画角２ω    78.18       50.09     30.14
像高        10.36       11.15     11.15
【０３０９】
実施例７におけるデータを以下に示す。
広角端      中間      望遠端
焦点距離    14.28       24.26     41.23
ＦＮＯ．     3.62        4.75      6.05
画角２ω    78.21       50.18     30.15
像高        10.36       11.15     11.15
【０３１０】
実施例８におけるデータを以下に示す。
広角端      中間      望遠端
焦点距離    12.85       26.16     49.07
ＦＮＯ．     3.63        5.00      6.50
画角２ω    84.44       46.83     25.34
像高        10.23       11.00     11.00
【０３１１】
実施例９におけるデータを以下に示す。
広角端      中間      望遠端
焦点距離    14.19       24.14     40.84
ＦＮＯ．     3.63        4.61      5.77
画角２ω    78.00       49.19     29.87
像高        10.20       11.00     11.00
【０３１２】
実施例１０におけるデータを以下に示す。
広角端      中間      望遠端
焦点距離    14.23       24.17     40.81
ＦＮＯ．     3.63        4.60      5.78
画角２ω    77.85       49.05     29.86
像高        10.20       11.00     11.00
【０３１３】
実施例１１におけるデータを以下に示す。
広角端      中間      望遠端
焦点距離    12.00       23.34     45.60
ＦＮＯ．     3.63        5.00      6.50
画角２ω    88.41       50.61     26.94
像高        10.02       11.00     11.00
【０３１４】
実施例１２におけるデータを以下に示す。
広角端      中間      望遠端
焦点距離    14.07       16.45     36.20
ＦＮＯ．     3.63        4.60      5.78
画角２ω    78.16       70.80     33.35
像高        10.27       11.00     11.00
【０３１５】
実施例１３におけるデータを以下に示す。
広角端      中間      望遠端
焦点距離    14.50       23.03     36.25
ＦＮＯ．     3.90        4.80      6.20
画角２ω    77.49       52.08     33.90
像高        10.23       11.15     11.15
【０３１６】
実施例１４におけるデータを以下に示す。
広角端      中間      望遠端
焦点距離     9.60       13.58     18.43
ＦＮＯ．     3.63        4.60      5.78
画角２ω   101.13       80.48     62.06
像高        10.11       11.00     11.00
【０３１７】
実施例１５におけるデータを以下に示す。
広角端      中間      望遠端
焦点距離    10.40       14.41     19.97
ＦＮＯ．     3.63        4.60      5.78
画角２ω    96.26       77.39     58.14
像高        10.07       11.00     11.00
【０３１８】
実施例１６におけるデータを以下に示す。
広角端      中間      望遠端
焦点距離    13.73       21.25     39.54
ＦＮＯ．     3.63        4.60      5.78
画角２ω    79.84       55.70     30.93
像高        10.23       11.00     11.00
【０３１９】
実施例１７におけるデータを以下に示す。
広角端      中間      望遠端
焦点距離    14.55       24.74     41.93
ＦＮＯ．     3.63        4.60      5.78
画角２ω    76.29       47.65     29.06
像高        10.29       11.00     11.00
【０３２０】
実施例１８におけるデータを以下に示す。
広角端      中間      望遠端
焦点距離    14.20       23.76     39.76
ＦＮＯ．     3.90        4.80      6.50
画角２ω    79.14       51.76     31.40
像高        10.17       11.15     11.15
【０３２１】
次に、各実施例における条件式（１）〜（１０）の値を掲げる。なお、-（ハイフン）は、光学系の構成（要素）が異なっていることを示している。
条件式                 実施例１   実施例２   実施例３   実施例４
(1)(β2t/β2w)/(β3t/β3w)    1.04       1.27       1.25       1.17
(1-1)(β2t/β2w)/(β3t/β3w)  1.04       1.27       1.25       1.17
(2)β2w                    -0.45      -0.49      -0.43      -0.44
(3)f2/fw                    1.07       1.34       1.11       1.09
(3-1)f2/fw                  1.07       1.34       1.11       1.09
(3-2)f2/fw                   -          -          -          - 
(4)β3w                     1.20       1.23       1.26       1.26
(5)β3t                     1.99       1.55       1.91       1.97
(6)f1/fw                   -1.83      -1.66      -1.86      -1.80
(7)f3/fw                   -1.87      -2.93      -2.22      -2.09
(8)(β2t/β2w)/(ft/fw)       0.60       0.80       0.66       0.64
(9)Daiw/(tanωt×ft)          2.30       1.91       2.37       2.28
(10)EXPw/(tanωt×ft)       3.24       1.95       3.39       3.33
条件式                 実施例５   実施例６   実施例７   実施例８
(1)(β2t/β2w)/(β3t/β3w)    1.23       1.29       1.15       1.02
(1-1)(β2t/β2w)/(β3t/β3w)  1.23       1.29       1.15       1.02
(2)β2w                    -0.47      -0.46      -0.46      -0.48
(3)f2/fw                    1.08       1.05       1.07       1.12
(3-1)f2/fw                  1.08       1.05       1.07       1.12
(3-2)f2/fw                   -          -          -          -
(4)β3w                     1.29       1.32       1.26       1.19
(5)β3t                     1.98       1.97       1.99       2.29
(6)f1/fw                   -1.65      -1.64      -1.73      -1.77
(7)f3/fw                   -1.68      -1.79      -1.95      -2.20
(8)(β2t/β2w)/(ft/fw)       0.65       0.67       0.63       0.52
(9)Daiw/(tanωt×ft)          2.38       2.38       2.29       2.21
(10)EXPw/(tanωt×ft)       2.97       3.04       3.26       3.99
条件式                 実施例９   実施例１０ 実施例１１ 実施例１２
(1)(β2t/β2w)/(β3t/β3w)    1.26       1.26       1.24       1.14
(1-1)(β2t/β2w)/(β3t/β3w)   -          -          -          -
(2)β2w                    -0.42      -0.44      -0.43      -0.46
(3)f2/fw                    1.23       1.20       1.42       1.21
(3-1)f2/fw                   -          -          -          -
(3-2)f2/fw                  1.23       1.20       1.42       1.21
(4)β3w                     1.26       1.24       1.18       1.18
(5)β3t                     1.90       1.87       2.07       1.77
(6)f1/fw                   -1.90      -1.86      -1.99      -1.84
(7)f3/fw                   -1.67      -1.67      -2.08      -2.16
(8)(β2t/β2w)/(ft/fw)       0.66       0.66       0.57       0.67
(9)Daiw/(tanωt×ft)          2.20       1.84       1.98       2.74
(10)EXPw/(tanωt×ft)       2.79       2.61       3.25       3.20
条件式                 実施例１３ 実施例１４ 実施例１５ 実施例１６
(1)(β2t/β2w)/(β3t/β3w)    1.22       1.23       1.22       1.37
(1-1)(β2t/β2w)/(β3t/β3w)   -          -          -          -
(2)β2w                    -0.43      -0.34      -0.40      -0.47
(3)f2/fw                    1.28       1.57       1.33       1.21
(3-1)f2/fw                   -          -          -          -
(3-2)f2/fw                  1.28       1.57       1.33       1.21
(4)β3w                     1.16       1.37       1.35       1.17
(5)β3t                     1.66       1.71       1.69       1.70
(6)f1/fw                   -2.01      -2.17      -1.83      -1.84
(7)f3/fw                   -2.58      -2.31      -2.25      -2.79
(8)(β2t/β2w)/(ft/fw)       0.70       0.80       0.80       0.69
(9)Daiw/(tanωt×ft)          2.72       2.58       2.51       2.63
(10)EXPw/(tanωt×ft)       3.20       2.23       2.31       3.52
条件式                 実施例１７ 実施例１８
(1)(β2t/β2w)/(β3t/β3w)    1.23       1.16
(1-1)(β2t/β2w)/(β3t/β3w)   -          -
(2)β2w                    -0.46      -0.47
(3)f2/fw                    1.21       1.25
(3-1)f2/fw                   -          -
(3-2)f2/fw                  1.21       1.25
(4)β3w                     1.20       1.20
(5)β3t                     1.84       1.86
(6)f1/fw                   -1.83      -1.79
(7)f3/fw                   -1.88      -2.09
(8)(β2t/β2w)/(ft/fw)       0.65       0.64
(9)Daiw/(tanωt×ft)          2.61       2.60
(10)EXPw/(tanωt×ft)       3.16       3.37
【０３２２】
図３７は、電子撮像装置としてのコンパクトカメラの断面図である。図３７において、コンパクトカメラ１の鏡筒内には撮影光学系２が配置されている。また、ボディには、撮像素子面４、バックモニタ５が配置されている。なお、撮像素子としては、小型のＣＣＤ又はＣＭＯＳ等が用いられている。
【０３２３】
ここで、鏡筒にマウント部を設けて、撮影光学系２を一眼ミラーレスカメラのボディである筐体に対して着脱可能とすることもできる。このマウント部は、例えばスクリュータイプやバヨネットタイプ等のマウントを用いる。
【０３２４】
そして、このような構成のコンパクトカメラ１の撮影光学系２として、例えば上記実施例１〜１８に示した本発明のズームレンズが用いられる。
【０３２５】
図３８、図３９は、本発明に係る撮像装置の構成の概念図を示す。図３８は撮像装置としてのデジタルカメラ４０の外観を示す前方斜視図、図３９は同後方斜視図である。このデジタルカメラ４０の撮影光学系４１に、本発明のズームレンズが用いられている。
【０３２６】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０３２７】
図４０は、デジタルカメラ４０（撮像装置）の内部構成を示している。図４０に示す内部構成は、非交換レンズ型（図３７に示すコンパクトカメラ）の撮像装置や、交換レンズ型の撮像装置に用いることができる。以下、交換レンズ型の撮像装置を例に説明する。デジタルカメラ４０は交換レンズ型の撮像装置であって、交換レンズ４０Ａと、カメラボディ４０Ｂと、から構成される。また、交換レンズ４０Ａとカメラボディ４０Ｂは、それぞれを接続する接続部としてのマウントを有しているが、図４０では、両方のマウントを１つにまとめてマウント部７０として示している。交換レンズ４０Ａは、マウント部７０によりカメラボディ４０Ｂである筐体に装着される。なお、非交換レンズ型の撮像装置では、マウント部７０は存在しない。そのため、交換レンズ４０Ａとカメラボディ４０Ｂという切り分けは無く、全ての部材（内部構成）が撮像装置内に配置される。
【０３２８】
交換レンズ４０Ａ（レンズ鏡筒）は、撮影光学系４１と、交換レンズ内部回路５０と、マウント部７０と、を有する。交換レンズ内部回路５０は、レンズ制御部５１と、レンズ駆動操作部５２を備えている。撮影光学系４１は、ズーミングレンズ、フォーカシングレンズ及び絞りを備えている。フォーカシングレンズはズーミングレンズと共用であっても良い。撮影光学系４１として、例えば上記実施例１〜１８に示した本発明のズームレンズが用いられる。
【０３２９】
レンズ制御部５１は、マイクロコンピューターと、メモリなどの周辺部品と、を含んで構成されている。レンズ制御部５１は、フォーカシングレンズと絞りの駆動制御、絞り、ズーミングレンズ及びフォーカシングレンズの状態検出、並びに、ボディ制御部１３に対するレンズ情報の送信とカメラ情報の受信などを行う。レンズ駆動操作部５２はボタンや回転部材で構成され、フォーカシングレンズと絞りの駆動制御はレンズ駆動操作部５２からの入力情報に基づき行う。この駆動制御は電気信号やモータなどによってもよいし、機械的な伝達によってもよい。レンズ制御部５１のメモリは、レンズの識別情報や歪曲収差補正に関する情報などを備えている。
【０３３０】
マウント部７０には、電気接点部（端子）７１が設けられている。交換レンズ４０Ａをカメラボディ４０Ｂに装着した際に、電気接点部７１を介して交換レンズ４０Ａ（レンズ鏡筒）とカメラボディ４０Ｂとの間で電気的な接続を行い、後述の各種情報を送受信する。
【０３３１】
カメラボディ４０Ｂは、カメラ内部回路６０を有する。なお、以下の説明では、前述した処理手段は、例えばＣＤＳ／ＡＤＣ部２４、一時記憶メモリ１７、画像処理部（画像変換部）１８等で構成され、記憶手段は、記憶媒体部等で構成される。
【０３３２】
カメラ内部回路６０は、操作部１２と、この操作部１２に接続されたボディ制御部１３と、このボディ制御部１３の制御信号出力ポートにバス１４及び１５を介して接続された撮像駆動回路１６並びに一時記憶メモリ１７、画像処理部（画像変換部）１８、記憶媒体部１９、表示部２０、及び設定情報記憶メモリ部２１を備えている。
【０３３３】
上記の一時記憶メモリ１７、画像処理部（画像変換部）１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３３４】
操作部１２は、各種の入力ボタンやスイッチを備え、これらを介して外部（カメラ使用者）から入力されるイベント情報をボディ制御部１３に通知する。ボディ制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０３３５】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。なお、ＣＣＤに代えて、ＣＭＯＳや裏面照射型ＣＭＯＳを用いることができる。
【０３３６】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３３７】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部（画像変換部）１８は、一時記憶メモリ１７に記憶されたＲＡＷデータ又は記憶媒体部１９に記憶されているＲＡＷデータを読み出して、ボディ制御部１３にて指定された画質パラメータに基づいて歪曲収差補正を含む各種画像処理を電気的に行う回路である。
【０３３８】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部（画像変換部）１８で画像処理された画像データを記録して保持する。
【０３３９】
表示部２０は、液晶表示モニター４７などにて構成され、撮影したＲＡＷデータ、画像データや操作メニューなどを表示する。表示部２０は、液晶に限らず所謂有機ＥＬ表示素子でも良い。さらに、表示部２０は、表示部２０に表示された像を撮影者が接眼レンズを介して観察する電子ビューファインダーとしても良い。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３４０】
ボディ制御部１３は、マイクロコンピューターと、メモリなどの周辺部品と、を含み構成されている。ボディ制御部１３は、ＣＣＤ４９からの画像信号の読み出し、画像信号の補正、像面のデフォーカス状態の検出、レンズ制御部５１からのレンズ情報の受信とカメラ情報（デフォーカス量）の送信、デジタルスチルカメラ４０全体の動作制御などを行う。ボディ制御部１３とレンズ制御部５１は、マウント部７０の電気接点部７１を介して通信を行い、各種情報の授受（送受信）を行う。
【０３４１】
例えば、ボディ制御部１３は、レンズ制御部５１に対してレンズの状態情報の送信を指示する。レンズ制御部５１は、ズーミングレンズとフォーカシングレンズの状態を検出し、その状態情報をボディ制御部１３へ送信する。ボディ制御部１３は、その情報を受信し、適切なレンズの駆動制御信号をレンズ制御部５１に対して送信する。
【０３４２】
また、レンズ制御部５１は、保持するレンズの識別情報や歪曲収差補正に関する情報をボディ制御部１３へ送信する。ボディ制御部１３は、その取得した情報に基づき、画像処理部（画像変換部）１８に適切な歪曲収差補正を指示することができる。
【０３４３】
また、交換レンズ４０Ａを通過してＣＣＤ４９上に形成された被写体像は、ＣＣＤ４９により光電変換される。そして、その出力は、ＣＤＳ／ＡＤＣ部２４介して一時記憶メモリ１７に送られる。画像処理部（画像変換部）１８は、一時記憶メモリ１７から画素の信号を取得する。また、画像処理部（画像変換部）１８は取得した画素の信号に基づいて、各像位置におけるデフォーカス量を算出する。
【０３４４】
算出されたデフォーカス量は、ボディ制御部１３を介してレンズ制御部５１送られる。レンズ制御部５１は、受信したデフォーカス量に基づいてレンズ駆動量を算出し、このレンズ駆動量に基づいてフォーカシングレンズを不図示のモータ等の駆動源により合焦点へと駆動する。
【０３４５】
また、レンズ制御部５１は、レンズ情報を、レンズのフォーカシング状態、ズーミング状態、絞り設定状態、絞り開放Ｆ値などに応じて変更する。具体的には、レンズ制御部５１は、ズームレンズ及びフォーカシング用レンズの位置と、絞りの絞り位置をモニターする。
【０３４６】
そして、レンズ制御部５１は、モニターした情報に応じてレンズ情報を演算すること、または予め用意されたルックアップテーブルからモニターした情報に応じたレンズ情報を選択する。
【０３４７】
なお、本実施形態のデジタルカメラ４０は、図４０に示した交換レンズ型の撮像装置に限るものではなく、レンズ固定型の撮像装置（所謂コンパクトカメラと称される撮像装置）にも適用できる。また、撮影光学系４１はズームレンズに限らず単焦点レンズでも良い。
【０３４８】
このように構成されたデジタルカメラ４０は、撮影光学系４１として本発明のズームレンズを採用することで、諸収差が良好に補正され、なお且つ、全長が短く、小型な撮像装置とすることが可能となる。
【０３４９】
なお、本発明は、その趣旨を逸脱しない範囲で様々な変形例をとることができる。また、上記各実施例により示された形状枚数には必ずしも限定されない。また、上記各実施例において、カバーガラスＣは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０３５０】
以上のように、本発明は、諸収差が良好に補正され、なお且つ、全長が短く、小型なズームレンズ及びそれを備えたレンズ鏡筒、撮像装置に適している。
【符号の説明】
【０３５１】
Ｇ１…第１レンズ群
Ｇ２…第２レンズ群
Ｇ３…第３レンズ群
Ｓ…明るさ（開口）絞り
Ｃ…カバーガラス
Ｉ…像面
１…コンパクトカメラ
２…撮影光学系
４…撮像素子面
５…バックモニタ
１２…操作部
１３…ボディ制御部
１４、１５…バス
１６…撮像駆動回路
１７…一時記憶メモリ
１８…画像処理部（画像変換部）
１９…記憶媒体部
２０…表示部
２１…設定情報記憶メモリ部
２２…バス
２４…ＣＤＳ／ＡＤＣ部
４０…デジタルカメラ（デジタルスチルカメラ）
４０Ａ…交換レンズ
４０Ｂ…カメラボディ
４１…撮影光学系
４２…撮影用光路
４５…シャッターボタン
４７…液晶表示モニター
４９…ＣＣＤ
５０…交換レンズ内部回路
５１…レンズ制御部
５２…駆動操作部
６０…カメラ内部回路
７０…マウント部
７１…電気接点部（端子）
【図１】
2015016004.tif 000003
【図２】
2015016004.tif 000004
【図３】
2015016004.tif 000005
【図４】
2015016004.tif 000006
【図５】
2015016004.tif 000007
【図６】
2015016004.tif 000008
【図７】
2015016004.tif 000009
【図８】
2015016004.tif 000010
【図９】
2015016004.tif 000011
【図１０】
2015016004.tif 000012
【図１１】
2015016004.tif 000013
【図１２】
2015016004.tif 000014
【図１３】
2015016004.tif 000015
【図１４】
2015016004.tif 000016
【図１５】
2015016004.tif 000017
【図１６】
2015016004.tif 000018
【図１７】
2015016004.tif 000019
【図１８】
2015016004.tif 000020
【図１９】
2015016004.tif 000021
【図２０】
2015016004.tif 000022
【図２１】
2015016004.tif 000023
【図２２】
2015016004.tif 000024
【図２３】
2015016004.tif 000025
【図２４】
2015016004.tif 000026
【図２５】
2015016004.tif 000027
【図２６】
2015016004.tif 000028
【図２７】
2015016004.tif 000029
【図２８】
2015016004.tif 000030
【図２９】
2015016004.tif 000031
【図３０】
2015016004.tif 000032
【図３１】
2015016004.tif 000033
【図３２】
2015016004.tif 000034
【図３３】
2015016004.tif 000035
【図３４】
2015016004.tif 000036
【図３５】
2015016004.tif 000037
【図３６】
2015016004.tif 000038
【図３７】
2015016004.tif 000039
【図３８】
2015016004.tif 000040
【図３９】
2015016004.tif 000041
【図４０】
2015016004.tif 000042
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
以下の条件式を満足することを特徴とするズームレンズ。
０．７５＜（β２ｔ／β２ｗ）／（β３ｔ／β３ｗ）＜１．３８
−０．７０＜β２ｗ＜−０．３２
０．９６＜ｆ２／ｆｗ＜１．８０
１．００＜Ｄａｉｗ／（ｔａｎωｔ×ｆｔ）＜２．９０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
Ｄａｉｗは、広角端における前記開口絞りと像面との間隔、
ωｔは、望遠端における半画角、
ｆｔは、望遠端における前記ズームレンズ全系の焦点距離、
である。
【請求項２】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第３レンズ群は、２枚以上のレンズを有し、
以下の条件式を満足することを特徴とするズームレンズ。
０．７５＜（β２ｔ／β２ｗ）／（β３ｔ／β３ｗ）＜２．００
０．９６＜ｆ２／ｆｗ＜１．７０
１．００＜Ｄａｉｗ／（ｔａｎωｔ×ｆｔ）＜２．９０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
Ｄａｉｗは、広角端における前記開口絞りと像面との間隔、
ωｔは、望遠端における半画角、
ｆｔは、望遠端における前記ズームレンズ全系の焦点距離、
である。
【請求項３】
物体側から順に、
負の屈折力を有する第１レンズ群と、
正の屈折力を有する第２レンズ群と、
負の屈折力を有する第３レンズ群と、からなり、
変倍時、前記第１レンズ群は移動し、前記第２レンズ群は開口絞りと一体に移動し、前記第３レンズ群は物体側へ移動し、
前記第３レンズ群における前記物体側への移動は、広角端から望遠端への変倍時の移動であり、
前記第３レンズ群は、１枚の負レンズからなり、
以下の条件式を満足することを特徴とするズームレンズ。
０．７５＜（β２ｔ／β２ｗ）／（β３ｔ／β３ｗ）＜１．３８
０．９４＜ｆ２／ｆｗ＜１．７０
１．００＜Ｄａｉｗ／（ｔａｎωｔ×ｆｔ）＜２．９０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
Ｄａｉｗは、広角端における前記開口絞りと像面との間隔、
ωｔは、望遠端における半画角、
ｆｔは、望遠端における前記ズームレンズ全系の焦点距離、
である。
【請求項４】
以下の条件式を満足することを特徴とする請求項２又は３に記載のズームレンズ。
−０．７０＜β２ｗ＜−０．３２
ここで、
β２ｗは、広角端における無限遠物点合焦時の前記第２レンズ群の横倍率、
である。
【請求項５】
以下の条件式を満足することを特徴とする請求項１から４のいずれか１項に記載のズームレンズ。
１．０５＜β３ｗ＜１．３５
ここで、
β３ｗは、広角端における無限遠物点合焦時の前記第３レンズ群の横倍率、
である。
【請求項６】
以下の条件式を満足することを特徴とする請求項１から５のいずれか１項に記載のズームレンズ。
１．７０＜β３ｔ＜３．００
ここで、
β３ｔは、望遠端における無限遠物点合焦時の前記第３レンズ群の横倍率、
である。
【請求項７】
以下の条件式を満足することを特徴とする請求項１から６のいずれか１項に記載のズームレンズ。
−２．５０＜ｆ１／ｆｗ＜−１．４９
ここで、
ｆ１は、前記第１レンズ群の焦点距離、
ｆｗは、広角端における前記ズームレンズ全系の焦点距離、
である。
【請求項８】
以下の条件式を満足することを特徴とする請求項１から７のいずれか１項に記載のズームレンズ。
−２．５０＜ｆ３／ｆｗ＜−１．５０
ここで、
ｆ３は、前記第３レンズ群の焦点距離、
ｆｗは、広角端における前記ズームレンズ全系の焦点距離、
である。
【請求項９】
以下の条件式を満足することを特徴とする請求項１から８のいずれか１項に記載のズームレンズ。
０．４６＜（β２ｔ／β２ｗ）／（ｆｔ／ｆｗ）＜０．８０
ここで、
β２ｔは、望遠端における前記第２レンズ群の横倍率、
β２ｗは、広角端における前記第２レンズ群の横倍率であって、
いずれも、無限遠物点合焦時の横倍率、
ｆｔは、望遠端における前記ズームレンズ全系の焦点距離、
ｆｗは、広角端における前記ズームレンズ全系の焦点距離、
である。
【請求項１０】
（削除）
【請求項１１】
以下の条件式を満足することを特徴とする請求項１から９のいずれか１項に記載のズームレンズ。
１．００＜ＥＸＰｗ／（ｔａｎωｔ×ｆｔ）＜４．５０
ここで、
ＥＸＰｗは、広角端における像面と射出瞳との間隔、
ωｔは、望遠端における半画角、
ｆｔは、望遠端における前記ズームレンズ全系の焦点距離、
である。
【請求項１２】
合焦時、前記第３レンズ群のみが移動することを特徴とする請求項１から９、１１のいずれか１項に記載のズームレンズ。
【請求項１３】
請求項１から９、１１、１２のいずれか１項に記載のズームレンズと、筐体と接続するための接続部と、を備え、前記筐体に、前記ズームレンズにより形成される光学像を電気信号に変換する撮像素子が配置されていることを特徴とするレンズ鏡筒。
【請求項１４】
請求項１から９、１１、１２のいずれか１項に記載のズームレンズと、前記ズームレンズにより形成される光学像を電気信号に変換する撮像素子と、を備えたことを特徴とする撮像装置。
【請求項１５】
画像変換部を有し、
前記画像変換部は、前記ズームレンズによる歪曲収差を含んだ前記電気信号を画像処理により前記歪曲収差を補正した画像信号に変換することを特徴とする請求項１４に記載の撮像装置。
【請求項１６】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第１レンズ群は複数の負レンズを有し、
以下の条件式を満足することを特徴とするズームレンズ。
０．７５＜（β２ｔ／β２ｗ）／（β３ｔ／β３ｗ）＜１．３８
−０．７０＜β２ｗ＜−０．３２
０．９６＜ｆ２／ｆｗ＜１．８０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
である。
【請求項１７】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第１レンズ群は複数の負レンズを有し、
前記第３レンズ群は、２枚以上のレンズを有し、
以下の条件式を満足することを特徴とするズームレンズ。
０．７５＜（β２ｔ／β２ｗ）／（β３ｔ／β３ｗ）＜２．００
０．９６＜ｆ２／ｆｗ＜１．７０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
である。
【請求項１８】
物体側から順に、
負の屈折力を有する第１レンズ群と、
正の屈折力を有する第２レンズ群と、
負の屈折力を有する第３レンズ群と、からなり、
変倍時、前記第１レンズ群は移動し、前記第２レンズ群は開口絞りと一体に移動し、前記第３レンズ群は物体側へ移動し、
前記第３レンズ群における前記物体側への移動は、広角端から望遠端への変倍時の移動であり、
前記第１レンズ群は複数の負レンズを有し、
前記第３レンズ群は、１枚の負レンズからなり、
以下の条件式を満足することを特徴とするズームレンズ。
０．７５＜（β２ｔ／β２ｗ）／（β３ｔ／β３ｗ）＜１．３８
０．９４＜ｆ２／ｆｗ＜１．７０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
である。
【請求項１９】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第２レンズ群は前記開口絞りを持ち、前記第２レンズ群中の前記開口絞り前のレンズ成分は１つのみであり、そのレンズ成分は前記開口絞りとは前記変倍の際に一体移動し、
以下の条件式を満足することを特徴とするズームレンズ。
０．７５＜（β２ｔ／β２ｗ）／（β３ｔ／β３ｗ）＜１．３８
−０．７０＜β２ｗ＜−０．３２
０．９６＜ｆ２／ｆｗ＜１．８０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
である。
【請求項２０】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第２レンズ群は前記開口絞りを持ち、前記第２レンズ群中の前記開口絞り前のレンズ成分は１つのみであり、そのレンズ成分は前記開口絞りとは前記変倍の際に一体移動し、
前記第３レンズ群は、２枚以上のレンズを有し、
以下の条件式を満足することを特徴とするズームレンズ。
０．７５＜（β２ｔ／β２ｗ）／（β３ｔ／β３ｗ）＜２．００
０．９６＜ｆ２／ｆｗ＜１．７０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
である。
【請求項２１】
物体側から順に、
負の屈折力を有する第１レンズ群と、
正の屈折力を有する第２レンズ群と、
負の屈折力を有する第３レンズ群と、からなり、
変倍時、前記第１レンズ群は移動し、前記第２レンズ群は開口絞りと一体に移動し、前記第３レンズ群は物体側へ移動し、
前記第３レンズ群における前記物体側への移動は、広角端から望遠端への変倍時の移動であり、
前記第２レンズ群は前記開口絞りを持ち、前記第２レンズ群中の前記開口絞り前のレンズ成分は１つのみであり、そのレンズ成分は前記開口絞りとは前記変倍の際に一体移動し、
前記第３レンズ群は、１枚の負レンズからなり、
以下の条件式を満足することを特徴とするズームレンズ。
０．７５＜（β２ｔ／β２ｗ）／（β３ｔ／β３ｗ）＜１．３８
０．９４＜ｆ２／ｆｗ＜１．７０
ここで、
β２ｔは、望遠端における前記第２レンズ群の横倍率、
β２ｗは、広角端における前記第２レンズ群の横倍率、
β３ｔは、望遠端における前記第３レンズ群の横倍率、
β３ｗは、広角端における前記第３レンズ群の横倍率であって、
いずれも、無限遠物点合焦時の横倍率、
ｆ２は、前記第２レンズ群の焦点距離、
ｆｗは、広角端における前記ズームレンズ全系の焦点距離、
である。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
以下の条件式を満足することを特徴とするズームレンズ。
０．７５＜（β2t／β2w）／（β3t／β3w）＜１．３８
−０．７０＜β2w＜−０．３２
０．９６＜ｆ2／ｆw＜１．８０
１．００＜Ｄaiw／（ｔａｎωt×ｆt）＜２．９０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
Ｄaiwは、広角端における前記開口絞りと像面との間隔、
ωtは、望遠端における半画角、
ｆtは、望遠端における前記ズームレンズ全系の焦点距離、
である。
【請求項２】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第３レンズ群は、２枚以上のレンズを有し、
以下の条件式を満足することを特徴とするズームレンズ。
０．７５＜（β2t／β2w）／（β3t／β3w）＜２．００
０．９６＜ｆ2／ｆw＜１．７０
１．００＜Ｄaiw／（ｔａｎωt×ｆt）＜２．９０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
Ｄaiwは、広角端における前記開口絞りと像面との間隔、
ωtは、望遠端における半画角、
ｆtは、望遠端における前記ズームレンズ全系の焦点距離、
である。
【請求項３】
物体側から順に、
負の屈折力を有する第１レンズ群と、
正の屈折力を有する第２レンズ群と、
負の屈折力を有する第３レンズ群と、からなり、
変倍時、前記第１レンズ群は移動し、前記第２レンズ群は開口絞りと一体に移動し、前記第３レンズ群は物体側へ移動し、
前記第３レンズ群における前記物体側への移動は、広角端から望遠端への変倍時の移動であり、
前記第３レンズ群は、１枚の負レンズからなり、
以下の条件式を満足することを特徴とするズームレンズ。
０．７５＜（β2t／β2w）／（β3t／β3w）＜１．３８
０．９４＜ｆ2／ｆw＜１．７０
１．００＜Ｄaiw／（ｔａｎωt×ｆt）＜２．９０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
Ｄaiwは、広角端における前記開口絞りと像面との間隔、
ωtは、望遠端における半画角、
ｆtは、望遠端における前記ズームレンズ全系の焦点距離、
である。
【請求項４】
以下の条件式を満足することを特徴とする請求項２又は３に記載のズームレンズ。
−０．７０＜β2w＜−０．３２
ここで、
β2wは、広角端における無限遠物点合焦時の前記第２レンズ群の横倍率、
である。
【請求項５】
以下の条件式を満足することを特徴とする請求項１から４のいずれか１項に記載のズームレンズ。
１．０５＜β3w＜１．３５
ここで、
β3wは、広角端における無限遠物点合焦時の前記第３レンズ群の横倍率、
である。
【請求項６】
以下の条件式を満足することを特徴とする請求項１から５のいずれか１項に記載のズームレンズ。
１．７０＜β3t＜３．００
ここで、
β3tは、望遠端における無限遠物点合焦時の前記第３レンズ群の横倍率、
である。
【請求項７】
以下の条件式を満足することを特徴とする請求項１から６のいずれか１項に記載のズームレンズ。
−２．５０＜ｆ1／ｆw＜−１．４９
ここで、
ｆ1は、前記第１レンズ群の焦点距離、
ｆwは、広角端における前記ズームレンズ全系の焦点距離、
である。
【請求項８】
以下の条件式を満足することを特徴とする請求項１から７のいずれか１項に記載のズームレンズ。
−２．５０＜ｆ3／ｆw＜−１．５０
ここで、
ｆ3は、前記第３レンズ群の焦点距離、
ｆwは、広角端における前記ズームレンズ全系の焦点距離、
である。
【請求項９】
以下の条件式を満足することを特徴とする請求項１から８のいずれか１項に記載のズームレンズ。
０．４６＜（β2t／β2w）／（ｆt／ｆw）＜０．８０
ここで、
β2tは、望遠端における前記第２レンズ群の横倍率、
β2wは、広角端における前記第２レンズ群の横倍率であって、
いずれも、無限遠物点合焦時の横倍率、
ｆtは、望遠端における前記ズームレンズ全系の焦点距離、
ｆwは、広角端における前記ズームレンズ全系の焦点距離、
である。
【請求項１０】
以下の条件式を満足することを特徴とする請求項１から９のいずれか１項に記載のズームレンズ。
１．００＜ＥＸＰw／（ｔａｎωt×ｆt）＜４．５０
ここで、
ＥＸＰwは、広角端における像面と射出瞳との間隔、
ωtは、望遠端における半画角、
ｆtは、望遠端における前記ズームレンズ全系の焦点距離、
である。
【請求項１１】
合焦時、前記第３レンズ群のみが移動することを特徴とする請求項１から１０のいずれか１項に記載のズームレンズ。
【請求項１２】
請求項１から１１のいずれか１項に記載のズームレンズと、筐体と接続するための接続部と、を備え、前記筐体に、前記ズームレンズにより形成される光学像を電気信号に変換する撮像素子が配置されていることを特徴とするレンズ鏡筒。
【請求項１３】
請求項１から１１のいずれか１項に記載のズームレンズと、前記ズームレンズにより形成される光学像を電気信号に変換する撮像素子と、を備えたことを特徴とする撮像装置。
【請求項１４】
画像変換部を有し、
前記画像変換部は、前記ズームレンズによる歪曲収差を含んだ前記電気信号を画像処理により前記歪曲収差を補正した画像信号に変換することを特徴とする請求項１３に記載の撮像装置。
【請求項１５】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第１レンズ群は複数の負レンズを有し、
以下の条件式を満足することを特徴とするズームレンズ。
０．７５＜（β2t／β2w）／（β3t／β3w）＜１．３８
−０．７０＜β2w＜−０．３２
０．９６＜ｆ2／ｆw＜１．８０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項１６】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第１レンズ群は複数の負レンズを有し、
前記第３レンズ群は、２枚以上のレンズを有し、
以下の条件式を満足することを特徴とするズームレンズ。
０．７５＜（β2t／β2w）／（β3t／β3w）＜２．００
０．９６＜ｆ2／ｆw＜１．７０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項１７】
物体側から順に、
負の屈折力を有する第１レンズ群と、
正の屈折力を有する第２レンズ群と、
負の屈折力を有する第３レンズ群と、からなり、
変倍時、前記第１レンズ群は移動し、前記第２レンズ群は開口絞りと一体に移動し、前記第３レンズ群は物体側へ移動し、
前記第３レンズ群における前記物体側への移動は、広角端から望遠端への変倍時の移動であり、
前記第１レンズ群は複数の負レンズを有し、
前記第３レンズ群は、１枚の負レンズからなり、
以下の条件式を満足することを特徴とするズームレンズ。
０．７５＜（β2t／β2w）／（β3t／β3w）＜１．３８
０．９４＜ｆ2／ｆw＜１．７０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項１８】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第２レンズ群は前記開口絞りを持ち、前記第２レンズ群中の前記開口絞り前のレンズ成分は１つのみであり、そのレンズ成分は前記開口絞りとは前記変倍の際に一体移動し、
以下の条件式を満足することを特徴とするズームレンズ。
０．７５＜（β2t／β2w）／（β3t／β3w）＜１．３８
−０．７０＜β2w＜−０．３２
０．９６＜ｆ2／ｆw＜１．８０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項１９】
物体側から順に、
負の屈折力を有する第１レンズ群と、
正の屈折力を有する第２レンズ群と、
負の屈折力を有する第３レンズ群と、からなり、
変倍時、前記第１レンズ群は像側への移動を少なくとも含み、前記第２レンズ群は開口絞りと一体に移動し、前記第３レンズ群は物体側へ移動し、
前記第１レンズ群における前記像側への移動は、変倍が広角端から始まったときの移動であり、
前記第３レンズ群における前記物体側への移動は、広角端から望遠端への変倍時の移動であり、
前記第１レンズ群は少なくとも負レンズと正レンズとを含むと共に、前記負レンズが最も物体側に配置され、
前記第２レンズ群は前記開口絞りを持ち、前記第２レンズ群中の前記開口絞り前のレンズ成分は１つのみであり、そのレンズ成分は前記開口絞りとは前記変倍の際に一体移動し、
前記第３レンズ群は、２枚以上のレンズを有し、
以下の条件式を満足することを特徴とするズームレンズ。
０．７５＜（β2t／β2w）／（β3t／β3w）＜２．００
０．９６＜ｆ2／ｆw＜１．７０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【請求項２０】
物体側から順に、
負の屈折力を有する第１レンズ群と、
正の屈折力を有する第２レンズ群と、
負の屈折力を有する第３レンズ群と、からなり、
変倍時、前記第１レンズ群は移動し、前記第２レンズ群は開口絞りと一体に移動し、前記第３レンズ群は物体側へ移動し、
前記第３レンズ群における前記物体側への移動は、広角端から望遠端への変倍時の移動であり、
前記第２レンズ群は前記開口絞りを持ち、前記第２レンズ群中の前記開口絞り前のレンズ成分は１つのみであり、そのレンズ成分は前記開口絞りとは前記変倍の際に一体移動し、
前記第３レンズ群は、１枚の負レンズからなり、
以下の条件式を満足することを特徴とするズームレンズ。
０．７５＜（β2t／β2w）／（β3t／β3w）＜１．３８
０．９４＜ｆ2／ｆw＜１．７０
ここで、
β2tは、望遠端における前記第２レンズ群の横倍率、
β2wは、広角端における前記第２レンズ群の横倍率、
β3tは、望遠端における前記第３レンズ群の横倍率、
β3wは、広角端における前記第３レンズ群の横倍率であって、
いずれも、無限遠物点合焦時の横倍率、
ｆ2は、前記第２レンズ群の焦点距離、
ｆwは、広角端における前記ズームレンズ全系の焦点距離、
である。
【手続補正２】
【補正対象書類名】明細書
【補正対象項目名】０００８
【補正方法】変更
【補正の内容】
【０００８】
上述した課題を解決し、目的を達成するために、本発明のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
以下の条件式を満足することを特徴とする。
０．７５＜（β2t／β2w）／（β3t／β3w）＜１．３８
−０．７０＜β2w＜−０．３２
０．９６＜ｆ2／ｆw＜１．８０
１．００＜Ｄaiw／（ｔａｎωt×ｆt）＜２．９０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
Ｄaiwは、広角端における開口絞りと像面との間隔、
ωtは、望遠端における半画角、
ｆtは、望遠端におけるズームレンズ全系の焦点距離、
である。
【手続補正３】
【補正対象書類名】明細書
【補正対象項目名】０００９
【補正方法】変更
【補正の内容】
【０００９】
また、本発明の別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
第３レンズ群は、２枚以上のレンズを有し、
以下の条件式を満足することを特徴とする。
０．７５＜（β2t／β2w）／（β3t／β3w）＜２．００
０．９６＜ｆ2／ｆw＜１．７０
１．００＜Ｄaiw／（ｔａｎωt×ｆt）＜２．９０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
Ｄaiwは、広角端における開口絞りと像面との間隔、
ωtは、望遠端における半画角、
ｆtは、望遠端におけるズームレンズ全系の焦点距離、
である。
【手続補正４】
【補正対象書類名】明細書
【補正対象項目名】００１０
【補正方法】変更
【補正の内容】
【００１０】
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は移動し、第２レンズ群は開口絞りと一体に移動し、第３レンズ群は物体側へ移動し、
第３レンズ群における物体側への移動は、広角端から望遠端への変倍時の移動であり、
第３レンズ群は、１枚の負レンズからなり、
以下の条件式を満足することを特徴とする。
０．７５＜（β2t／β2w）／（β3t／β3w）＜１．３８
０．９４＜ｆ2／ｆw＜１．７０
１．００＜Ｄaiw／（ｔａｎωt×ｆt）＜２．９０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
Ｄaiwは、広角端における開口絞りと像面との間隔、
ωtは、望遠端における半画角、
ｆtは、望遠端におけるズームレンズ全系の焦点距離、
である。
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
第１レンズ群は複数の負レンズを有し、
以下の条件式を満足することを特徴とする。
０．７５＜（β2t／β2w）／（β3t／β3w）＜１．３８
−０．７０＜β2w＜−０．３２
０．９６＜ｆ2／ｆw＜１．８０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
第１レンズ群は複数の負レンズを有し、
第３レンズ群は、２枚以上のレンズを有し、
以下の条件式を満足することを特徴とする。
０．７５＜（β2t／β2w）／（β3t／β3w）＜２．００
０．９６＜ｆ2／ｆw＜１．７０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は移動し、第２レンズ群は開口絞りと一体に移動し、第３レンズ群は物体側へ移動し、
第３レンズ群における物体側への移動は、広角端から望遠端への変倍時の移動であり、
第１レンズ群は複数の負レンズを有し、
第３レンズ群は、１枚の負レンズからなり、
以下の条件式を満足することを特徴とする。
０．７５＜（β2t／β2w）／（β3t／β3w）＜１．３８
０．９４＜ｆ2／ｆw＜１．７０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
第２レンズ群は開口絞りを持ち、第２レンズ群中の開口絞り前のレンズ成分は１つのみであり、そのレンズ成分は開口絞りとは変倍の際に一体移動し、
以下の条件式を満足することを特徴とする。
０．７５＜（β2t／β2w）／（β3t／β3w）＜１．３８
−０．７０＜β2w＜−０．３２
０．９６＜ｆ2／ｆw＜１．８０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は像側への移動を少なくとも含み、第２レンズ群は開口絞りと一体に移動し、第３レンズ群は物体側へ移動し、
第１レンズ群における像側への移動は、変倍が広角端から始まったときの移動であり、
第３レンズ群における物体側への移動は、広角端から望遠端への変倍時の移動であり、
第１レンズ群は少なくとも負レンズと正レンズとを含むと共に、負レンズが最も物体側に配置され、
第２レンズ群は開口絞りを持ち、第２レンズ群中の開口絞り前のレンズ成分は１つのみであり、そのレンズ成分は開口絞りとは変倍の際に一体移動し、
第３レンズ群は、２枚以上のレンズを有し、
以下の条件式を満足することを特徴とする。
０．７５＜（β2t／β2w）／（β3t／β3w）＜２．００
０．９６＜ｆ2／ｆw＜１．７０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
また、本発明の更に別のズームレンズは、
物体側から順に、
負の屈折力を有する第１レンズ群と、
正の屈折力を有する第２レンズ群と、
負の屈折力を有する第３レンズ群と、からなり、
変倍時、第１レンズ群は移動し、第２レンズ群は開口絞りと一体に移動し、第３レンズ群は物体側へ移動し、
第３レンズ群における物体側への移動は、広角端から望遠端への変倍時の移動であり、
第２レンズ群は開口絞りを持ち、第２レンズ群中の開口絞り前のレンズ成分は１つのみであり、そのレンズ成分は開口絞りとは変倍の際に一体移動し、
第３レンズ群は、１枚の負レンズからなり、
以下の条件式を満足することを特徴とする。
０．７５＜（β2t／β2w）／（β3t／β3w）＜１．３８
０．９４＜ｆ2／ｆw＜１．７０
ここで、
β2tは、望遠端における第２レンズ群の横倍率、
β2wは、広角端における第２レンズ群の横倍率、
β3tは、望遠端における第３レンズ群の横倍率、
β3wは、広角端における第３レンズ群の横倍率であって、
いずれも、無限遠物点合焦時の横倍率、
ｆ2は、第２レンズ群の焦点距離、
ｆwは、広角端におけるズームレンズ全系の焦点距離、
である。
【国際調査報告】
2015016004.tif 000043
2015016004.tif 000044
2015016004.tif 000045
2015016004.tif 000046